(57)【要約】  本発明は、ＨＡＲＱ情報の伝送方法、装置及びコンピュータ記憶媒体を開示し、前記方法は、端末デバイスが第１のＨＡＲＱ情報を決定し、前記第１のＨＡＲＱ情報は、前記端末デバイスが第１の下り時間ユニットにおいて受信した第１の下りデータチャネルに対応するＨＡＲＱ情報であり、前記第１の下りデータチャネルが第１の時系列の値に対応し、前記第１の下り時間ユニットが第１の下り伝送機会における時間ユニットであり、前記端末デバイスが第１の上り時間ユニットにおいて第１の上り制御情報を伝送し、前記第１の上り制御情報が前記第１のＨＡＲＱ情報を含み、ここで、前記第１の上り時間ユニットが第１の上り伝送機会における時間ユニットであり、前記第１の上り伝送機会が前記第１の下り伝送機会よりも遅く、前記第１の上り時間ユニットと前記第１の下り時間ユニットとの時間距離が前記第１の時系列の値以上であることを含む。
2021516896.tif 000002
【特許請求の範囲】
【請求項１】
端末デバイスが第１のハイブリッド自動再送要求ＨＡＲＱ情報を決定し、前記第１のＨＡＲＱ情報は、前記端末デバイスが第１の下り時間ユニットにおいて受信した第１の下りデータチャネルに対応するＨＡＲＱ情報であり、前記第１の下りデータチャネルが第１の時系列の値に対応し、前記第１の下り時間ユニットが第１の下り伝送機会における時間ユニットであり、
前記端末デバイスが第１の上り時間ユニットにおいて第１の上り制御情報を伝送し、前記第１の上り制御情報が前記第１のＨＡＲＱ情報を含み、前記第１の上り時間ユニットが第１の上り伝送機会における時間ユニットであり、前記第１の上り伝送機会が前記第１の下り伝送機会よりも遅く、前記第１の上り時間ユニットと前記第１の下り時間ユニットとの時間距離が前記第１の時系列の値以上であることとを含む
ことを特徴とするハイブリッド自動再送要求ＨＡＲＱ情報の伝送方法。
【請求項２】
前記端末デバイスが第２の下り時間ユニットにおいて第１の情報を受信することを含み、前記第１の情報が第２の時系列の値を決定するために使用され、前記第２の時系列の値が前記第１の上り時間ユニットと基準時間ユニットとの時間距離であり、
前記基準時間ユニットと前記第２の下り時間ユニットとが同じ時間ユニットであり、又は、
前記基準時間ユニットが前記第１の下り伝送機会における最後の下り時間ユニットであり、又は、
前記基準時間ユニットが前記第１の上り伝送機会における１番目の上り時間ユニットである
ことを特徴とする請求項１に記載のハイブリッド自動再送要求ＨＡＲＱ情報の伝送方法。
【請求項３】
前記第１の時系列の値と前記第２の時系列の値との差が第１の値であり、前記第１の下り時間ユニットと前記基準時間ユニットとの時間距離が前記第１の値以上である
ことを特徴とする請求項２に記載のＨＡＲＱ情報の伝送方法。
【請求項４】
前記第１の時系列の値は、前記第１の下りデータチャネルにより伝送される第１の下り制御情報をスケジューリングすることにより得られる
ことを特徴とする請求項１〜３のいずれか１項に記載のＨＡＲＱ情報の伝送方法。
【請求項５】
前記第１の上り制御情報が第２のＨＡＲＱ情報をさらに含み、
前記第２のＨＡＲＱ情報は、前記端末デバイスが第３の下り時間ユニットにおいて受信した第２の下りデータチャネルに対応するＨＡＲＱ情報であり、前記第２の下りデータチャネルが第３の時系列の値に対応し、前記第３の下り時間ユニットが前記第１の下り伝送機会における時間ユニットであり、前記第１の上り時間ユニットと前記第３の下り時間ユニットとの時間距離が前記第３の時系列の値以上である
ことを特徴とする請求項１〜４のいずれか１項に記載のＨＡＲＱ情報の伝送方法。
【請求項６】
前記方法は、さらに、
前記端末デバイスが第２の上り時間ユニットにおいて前記第１の上り制御情報を伝送することを含み、前記第２の上り時間ユニットが前記第１の上り時間ユニットよりも遅い
ことを特徴とする請求項１〜５のいずれか１項に記載のＨＡＲＱ情報の伝送方法。
【請求項７】
前記第２の上り時間ユニットが前記第１の上り伝送機会における時間ユニットであり、又は、
前記第２の上り時間ユニットが第２の上り伝送機会における時間ユニットである
ことを特徴とする請求項６に記載のＨＡＲＱ情報の伝送方法。
【請求項８】
前記方法は、さらに、
前記端末デバイスが第３のＨＡＲＱ情報を決定し、前記第３のＨＡＲＱ情報は、前記端末デバイスが第４の下り時間ユニットにおいて受信した第３の下りデータチャネルに対応するＨＡＲＱ情報であり、前記第３の下りデータチャネルが第４の時系列の値に対応し、前記第４の下り時間ユニットが前記第１の下り伝送機会における時間ユニットであり、前記第４の下り時間ユニットと前記基準時間ユニットとの時間距離が前記第１の値よりも小さいことと、
前記端末デバイスが第３の上り時間ユニットにおいて第２の上り制御情報を伝送し、前記第２の上り制御情報が前記第３のＨＡＲＱ情報を含み、前記第３の上り時間ユニットと前記第４の下り時間ユニットとの時間距離が前記第４の時系列の値以上であることとを含む
ことを特徴とする請求項３〜７のいずれか１項に記載のＨＡＲＱ情報の伝送方法。
【請求項９】
前記第３の上り時間ユニットが前記第１の上り伝送機会における時間ユニットであり、又は、
前記第３の上り時間ユニットが第３の上り伝送機会における時間ユニットである
ことを特徴とする請求項８に記載のＨＡＲＱ情報の伝送方法。
【請求項１０】
ネットワークデバイスが第１の上り時間ユニットにおいて端末デバイスにより送信された第１の上り制御情報を受信し、前記第１の上り制御情報が第１のハイブリッド自動再送要求ＨＡＲＱ情報を含み、前記第１のＨＡＲＱ情報は、前記端末デバイスが第１の下り時間ユニットにおいて受信した第１の下りデータチャネルに対応するＨＡＲＱ情報であり、前記第１の下りデータチャネルが第１の時系列の値に対応し、前記第１の下り時間ユニットが第１の下り伝送機会における時間ユニットであり、前記第１の上り時間ユニットが第１の上り伝送機会における時間ユニットであり、前記第１の上り伝送機会が前記第１の下り伝送機会よりも遅く、前記第１の上り時間ユニットと前記第１の下り時間ユニットとの時間距離が前記第１の時系列の値以上であり、
前記ネットワークデバイスが前記第１の上り制御情報に基づいて前記第１のＨＡＲＱ情報を決定することとを含む
ことを特徴とするハイブリッド自動再送要求ＨＡＲＱ情報の伝送方法。
【請求項１１】
前記方法は、さらに、
前記ネットワークデバイスが第２の下り時間ユニットにおいて第１の情報を送信し、前記第１の情報は、前記端末デバイスが第２の時系列の値を決定するために使用され、前記第２の時系列の値が前記第１の上り時間ユニットと基準時間ユニットとの時間距離であることを含み、
前記基準時間ユニットと前記第２の下り時間ユニットとが同じ時間ユニットであり、又は、
前記基準時間ユニットが前記第１の下り伝送機会における最後の下り時間ユニットであり、又は、
前記基準時間ユニットが前記第１の上り伝送機会における１番目の上り時間ユニットである
ことを特徴とする請求項１０に記載のＨＡＲＱ情報の伝送方法。
【請求項１２】
前記第１の時系列の値と前記第２の時系列の値との差が第１の値であり、前記第１の下り時間ユニットと前記基準時間ユニットとの時間距離が前記第１の値以上である
ことを特徴とする請求項１１に記載のＨＡＲＱ情報の伝送方法。
【請求項１３】
前記方法は、さらに、
前記ネットワークデバイスが第１の下り制御情報を送信し、前記第１の下り制御情報が前記第１の下りデータチャネルをスケジューリングするために使用され、前記第１の下り制御情報は、さらに、前記端末デバイスが前記第１の時系列の値を決定するために使用される
ことを特徴とする請求項１０〜１２のいずれか１項に記載のＨＡＲＱ情報の伝送方法。
【請求項１４】
前記第１の上り制御情報が第２のＨＡＲＱ情報をさらに含み、
前記第２のＨＡＲＱ情報は、前記端末デバイスが第３の下り時間ユニットにおいて受信した第２の下りデータチャネルに対応するＨＡＲＱ情報であり、前記第２の下りデータチャネルが第３の時系列の値に対応し、前記第３の下り時間ユニットが前記第１の下り伝送機会における時間ユニットであり、前記第１の上り時間ユニットと前記第３の下り時間ユニットとの時間距離が前記第３の時系列の値以上であり、
前記ネットワークデバイスが前記第１の上り制御情報に基づいて前記第２のＨＡＲＱ情報を決定する
ことを特徴とする請求項１０〜１３のいずれか１項に記載のＨＡＲＱ情報の伝送方法。
【請求項１５】
前記方法は、さらに、
前記ネットワークデバイスが第２の上り時間ユニットにおいて前記端末デバイスにより送信された前記第１の上り制御情報を受信し、前記第２の上り時間ユニットが前記第１の上り時間ユニットよりも遅いことを含む
ことを特徴とする請求項１０〜１４のいずれか１項に記載のＨＡＲＱ情報の伝送方法。
【請求項１６】
前記第２の上り時間ユニットが前記第１の上り伝送機会における時間ユニットであり、又は、
前記第２の上り時間ユニットが第２の上り伝送機会における時間ユニットである
ことを特徴とする請求項１５に記載のＨＡＲＱ情報の伝送方法。
【請求項１７】
前記方法は、さらに、
前記ネットワークデバイスが第３の上り時間ユニットにおいて前記端末デバイスにより送信された第２の上り制御情報を受信し、前記第２の上り制御情報が第３のＨＡＲＱ情報を含み、前記第３のＨＡＲＱ情報は、前記端末デバイスが第４の下り時間ユニットにおいて受信した第３の下りデータチャネルに対応するＨＡＲＱ情報であり、前記第３の下りデータチャネルが第４の時系列の値に対応し、前記第４の下り時間ユニットが前記第１の下り伝送機会における時間ユニットであり、前記第４の下り時間ユニットと前記基準時間ユニットとの時間距離が前記第１の値よりも小さく、前記第３の上り時間ユニットと前記第４の下り時間ユニットとの時間距離が前記第４の時系列の値以上であり、
前記ネットワークデバイスが前記第２の上り制御情報に基づいて前記第３のＨＡＲＱ情報を決定することとを含む
ことを特徴とする請求項１２〜１６のいずれか１項に記載のＨＡＲＱ情報の伝送方法。
【請求項１８】
前記第３の上り時間ユニットが前記第１の上り伝送機会における時間ユニットであり、又は、
前記第３の上り時間ユニットが第３の上り伝送機会における時間ユニットである
ことを特徴とする請求項１７に記載のＨＡＲＱ情報の伝送方法。
【請求項１９】
決定ユニットと、第１の伝送ユニットと、を備えるハイブリッド自動再送要求ＨＡＲＱ情報の伝送装置であって、
前記決定ユニットは、第１のハイブリッド自動再送要求ＨＡＲＱ情報を決定するように構成され、前記第１のＨＡＲＱ情報は、第１の下り時間ユニットで受信した第１の下りデータチャネルに対応するＨＡＲＱ情報であり、前記第１の下りデータチャネルが第１の時系列の値に対応し、前記第１の下り時間ユニットが第１の下り伝送機会における時間ユニットであり、
前記第１の伝送ユニットは、は、第１の上り時間ユニットにおいて第１の上り制御情報を伝送するように構成され、前記第１の上り制御情報が前記第１のＨＡＲＱ情報を含み、
前記第１の上り時間ユニットが第１の上り伝送機会における時間ユニットであり、前記第１の上り伝送機会が前記第１の下り伝送機会よりも遅く、前記第１の上り時間ユニットと前記第１の下り時間ユニットとの時間距離が前記第１の時系列の値以上である
ことを特徴とするＨＡＲＱ情報の伝送装置。
【請求項２０】
前記装置は、さらに、受信ユニットを含み、
前記受信ユニットは、第２の下り時間ユニットにおいて第１の情報を受信するように構成され、前記第１の情報が第２の時系列の値を決定するために使用され、前記第２の時系列の値が前記第１の上り時間ユニットと基準時間ユニットとの時間距離であり、
前記基準時間ユニットと前記第２の下り時間ユニットとが同じ時間ユニットであり、又は、
前記基準時間ユニットが前記第１の下り伝送機会における最後の下り時間ユニットであり、又は、
前記基準時間ユニットが前記第１の上り伝送機会における１番目の上り時間ユニットである
ことを特徴とする請求項１９に記載のＨＡＲＱ情報の伝送装置。
【請求項２１】
前記第１の時系列の値と前記第２の時系列の値との差が第１の値であり、前記第１の下り時間ユニットと前記基準時間ユニットとの時間距離が前記第１の値以上である
ことを特徴とする請求項２０に記載のＨＡＲＱ情報の伝送装置。
【請求項２２】
前記第１の時系列の値は、前記第１の下りデータチャネルにより伝送される第１の下り制御情報をスケジューリングすることにより得られる
ことを特徴とする請求項１９〜２１のいずれか１項に記載のＨＡＲＱ情報の伝送装置。
【請求項２３】
前記第１の上り制御情報が第２のＨＡＲＱ情報をさらに含み、
前記第２のＨＡＲＱ情報は、前記端末デバイスが第３の下り時間ユニットにおいて受信した第２の下りデータチャネルに対応するＨＡＲＱ情報であり、前記第２の下りデータチャネルが第３の時系列の値に対応し、前記第３の下り時間ユニットが前記第１の下り伝送機会における時間ユニットであり、前記第１の上り時間ユニットと前記第３の下り時間ユニットとの時間距離が前記第３の時系列の値以上である
ことを特徴とする請求項１９〜２２のいずれか１項に記載のＨＡＲＱ情報の伝送装置。
【請求項２４】
前記装置は、さらに、第２の伝送ユニットを含み、
前記第２の伝送ユニットは、第２の上り時間ユニットにおいて前記第１の上り制御情報を伝送するように構成され、前記第２の上り時間ユニットが前記第１の上り時間ユニットよりも遅い
ことを特徴とする請求項１９〜２３のいずれか１項に記載のＨＡＲＱ情報の伝送装置。
【請求項２５】
前記第２の上り時間ユニットが前記第１の上り伝送機会における時間ユニットであり、又は、
前記第２の上り時間ユニットが第２の上り伝送機会における時間ユニットである
ことを特徴とする請求項２４に記載のＨＡＲＱ情報の伝送装置。
【請求項２６】
前記決定ユニットは、さらに、第３のＨＡＲＱ情報を決定するように構成され、前記第３のＨＡＲＱ情報は、前記端末デバイスが第４の下り時間ユニットにおいて受信した第３の下りデータチャネルに対応するＨＡＲＱ情報であり、前記第３の下りデータチャネルが第４の時系列の値に対応し、前記第４の下り時間ユニットが前記第１の下り伝送機会における時間ユニットであり、前記第４の下り時間ユニットと前記基準時間ユニットとの時間距離が前記第１の値よりも小さく、
前記装置は、さらに、第３の伝送ユニットを含み、前記第３の伝送ユニットは、第３の上り時間ユニットにおいて第２の上り制御情報を伝送するように構成され、前記第２の上り制御情報が前記第３のＨＡＲＱ情報を含み、前記第３の上り時間ユニットと前記第４の下り時間ユニットとの時間距離が前記第４の時系列の値以上である
ことを特徴とする請求項２１〜２５のいずれか１項に記載のＨＡＲＱ情報の伝送装置。
【請求項２７】
前記第３の上り時間ユニットが前記第１の上り伝送機会における時間ユニットであり、又は、
前記第３の上り時間ユニットが第３の上り伝送機会における時間ユニットである
ことを特徴とする請求項２６に記載のＨＡＲＱ情報の伝送装置。
【請求項２８】
第１の受信ユニットと、決定ユニットと、を備えるハイブリッド自動再送要求ＨＡＲＱ情報の伝送装置であって、
前記第１の受信ユニットは、第１の上り時間ユニットにおいて端末デバイスにより送信された第１の上り制御情報を受信するように構成され、前記第１の上り制御情報が第１のハイブリッド自動再送要求ＨＡＲＱ情報を含み、前記第１のＨＡＲＱ情報は、前記端末デバイスが第１の下り時間ユニットにおいて受信した第１の下りデータチャネルに対応するＨＡＲＱ情報であり、前記第１の下りデータチャネルが第１の時系列の値に対応し、前記第１の下り時間ユニットが第１の下り伝送機会における時間ユニットであり、前記第１の上り時間ユニットが第１の上り伝送機会における時間ユニットであり、前記第１の上り伝送機会が前記第１の下り伝送機会よりも遅く、前記第１の上り時間ユニットと前記第１の下り時間ユニットとの時間距離が前記第１の時系列の値以上であり、
決定ユニットは、前記第１の上り制御情報に基づいて前記第１のＨＡＲＱ情報を決定するように構成される
ことを特徴とするＨＡＲＱ情報の伝送装置。
【請求項２９】
前記装置は、さらに、第１の送信ユニットを含み、
前記第１の送信ユニットは、第２の下り時間ユニットにおいて第１の情報を送信するように構成され、前記第１の情報は、前記端末デバイスが第２の時系列の値を決定するために使用され、前記第２の時系列の値が前記第１の上り時間ユニットと基準時間ユニットとの時間距離であり、
前記基準時間ユニットと前記第２の下り時間ユニットとが同じ時間ユニットであり、又は、
前記基準時間ユニットが前記第１の下り伝送機会における最後の下り時間ユニットであり、又は、
前記基準時間ユニットが前記第１の上り伝送機会における１番目の上り時間ユニットである
ことを特徴とする請求項２８に記載のＨＡＲＱ情報の伝送装置。
【請求項３０】
前記第１の時系列の値と前記第２の時系列の値との差が第１の値であり、前記第１の下り時間ユニットと前記基準時間ユニットとの時間距離が前記第１の値以上である
ことを特徴とする請求項２９に記載のＨＡＲＱ情報の伝送装置。
【請求項３１】
前記装置は、さらに、第２の送信ユニットを含み、
前記第２の送信ユニットは、第１の下り制御情報を送信するように構成され、前記第１の下り制御情報が前記第１の下りデータチャネルをスケジューリングするために使用され、前記第１の下り制御情報は、さらに、前記端末デバイスが前記第１の時系列の値を決定するために使用される
ことを特徴とする請求項２８〜３０のいずれか１項に記載のＨＡＲＱ情報の伝送装置。
【請求項３２】
前記第１の上り制御情報が第２のＨＡＲＱ情報をさらに含み、
前記第２のＨＡＲＱ情報は、前記端末デバイスが第３の下り時間ユニットにおいて受信した第２の下りデータチャネルに対応するＨＡＲＱ情報であり、前記第２の下りデータチャネルが第３の時系列の値に対応し、前記第３の下り時間ユニットが前記第１の下り伝送機会における時間ユニットであり、前記第１の上り時間ユニットと前記第３の下り時間ユニットとの時間距離が前記第３の時系列の値以上であり、
前記決定ユニットは、さらに、前記第１の上り制御情報に基づいて前記第２のＨＡＲＱ情報を決定するように構成される
ことを特徴とする請求項２８〜３１のいずれか１項に記載のＨＡＲＱ情報の伝送装置。
【請求項３３】
前記装置は、さらに、第２の受信ユニットを含み、
前記第２の受信ユニットは、第２の上り時間ユニットにおいて前記端末デバイスにより送信された前記第１の上り制御情報を受信するように構成され、前記第２の上り時間ユニットが前記第１の上り時間ユニットよりも遅い
ことを特徴とする請求項２８〜３２のいずれか１項に記載のＨＡＲＱ情報の伝送装置。
【請求項３４】
前記第２の上り時間ユニットが前記第１の上り伝送機会における時間ユニットであり、又は、
前記第２の上り時間ユニットが第２の上り伝送機会における時間ユニットである
ことを特徴とする請求項３３に記載のＨＡＲＱ情報の伝送装置。
【請求項３５】
前記装置は、さらに、第３の受信ユニットを含み、
前記第３の受信ユニットは、第３の上り時間ユニットにおいて前記端末デバイスにより送信された第２の上り制御情報を受信するように構成され、前記第２の上り制御情報が第３のＨＡＲＱ情報を含み、
前記第３のＨＡＲＱ情報は、前記端末デバイスが第４の下り時間ユニットにおいて受信した第３の下りデータチャネルに対応するＨＡＲＱ情報であり、前記第３の下りデータチャネルが第４の時系列の値に対応し、前記第４の下り時間ユニットが前記第１の下り伝送機会における時間ユニットであり、前記第４の下り時間ユニットと前記基準時間ユニットとの時間距離が前記第１の値よりも小さく、前記第３の上り時間ユニットと前記第４の下り時間ユニットとの時間距離が前記第４の時系列の値以上であり、
前記決定ユニットは、さらに、前記第２の上り制御情報に基づいて前記第３のＨＡＲＱ情報を決定するように構成される
ことを特徴とする請求項３０〜３４のいずれか１項に記載のＨＡＲＱ情報の伝送装置。
【請求項３６】
前記第３の上り時間ユニットが前記第１の上り伝送機会における時間ユニットであり、又は、
前記第３の上り時間ユニットが第３の上り伝送機会における時間ユニットである
ことを特徴とする請求項３５に記載のＨＡＲＱ情報の伝送装置。
【請求項３７】
プロセッサによって実行されると、請求項１から９のいずれか１項に記載の方法ステップ、又は請求項１０から１８のいずれか１項に記載の方法ステップを実現するコンピュータ実行可能命令を記憶した
ことを特徴とするコンピュータ記憶媒体。
【発明の詳細な説明】
【技術分野】
【０００１】
本発明は、無線通信技術分野に関し、特に、ハイブリッド自動再送要求（ＨＡＲＱ、Ｈｙｂｒｉｄ Ａｕｔｏｍａｔｉｃ Ｒｅｐｅａｔ ｒｅＱｕｅｓｔ）情報の伝送方法、装置及びコンピュータ記憶媒体に関する。
【背景技術】
【０００２】
無線通信技術の発展に伴い、ロングタームエボリューション( ＬＴＥ、Ｌｏｎｇ Ｔｅｒｍ Ｅｖｏｌｕｔｉｏｎ )システムに基づく免許補助アクセスシステム( ＬＡＡ−ＬＴＥ、Ｌｉｃｅｎｓｅｄ−Ａｓｓｉｓｔｅｄ Ａｃｃｅｓｓ−Ｌｏｎｇ Ｔｅｒｍ Ｅｖｏｌｕｔioｎ )は、キャリアアグリゲーション構造に基づいて、免許スペクトル上のキャリアを一次キャリアとし、免許不要スペクトル上のキャリアが二次キャリアとして端末デバイスにサービスを提供する。新規ラジオ( ＮＲ、Ｎｅｗ Ｒａｄｉｏ )システムが免許不要スペクトルに適用される場合、免許補助アクセス( ＬＡＡ )ネットワーク構成をサポートするとともに、独立( ＳＡ、Ｓｔａｎｄａｌｏｎｅ )ネットワーク構成もサポートされるため、免許不要スペクトル上での物理上りリンク制御チャネル( ＰＵＣＣＨ、Ｐｈｙｓｉｃａｌ Ｕｐｌｉｎｋ Ｃｏｎｔｒｏｌ ＣＨａｎｎｅｌ )の伝送を考慮する必要がある。
【０００３】
ＮＲシステムにおいて、ＰＵＣＣＨは、表１に示すように、複数のフォーマットを含み、各フォーマットのＰＵＣＣＨは、複数のシンボル長を含む。
【表１】
2021516896.tif 000003
【０００４】
ネットワークデバイスは、１つの端末デバイスに対してＰＵＣＣＨフォーマット０、１、２、３、４のうちの１つ以上を構成することができる。ここで、１つのＰＵＣＣＨリソース（ｒｅｓｏｕｒｃｅ）の構成情報には、少なくとも該ＰＵＣＣＨの開始シンボルの位置と該ＰＵＣＣＨに含まれるシンボルの個数とが含まれる。具体的には、ＰＵＣＣＨフォーマット０および２に対して、対応するＰＵＣＣＨに含まれるシンボルの個数が１または２であり、ＰＵＣＣＨフォーマット１、３、４の場合、対応するＰＵＣＣＨに含まれるシンボルの個数は４〜１４のいずれかである。
【０００５】
ネットワークデバイスは、下り制御情報( ＤＣＩ、Ｄｏｗｎｌｉｎｋ Ｃｏｎｔｒｏｌ Ｉｎｆｏｒｍａｔｉｏｎ )によって端末デバイスのＰＵＣＣＨリソースの時間領域位置を動的に示し、たとえば、ＤＣＩにおけるＰＤＳＣＨ−ＨＡＲＱ指示情報(物理下り共有チャネルＰＤＳＣＨ、Ｐｈｙｓｉｃａｌ Ｄｏｗｎｌｉｎｋ Ｓｈａｒｅｄ ＣＨａｎｎｅｌ-ハイブリッド自動再送要求ＨＡＲＱ、Ｈｙｂｒｉｄ Ａｕｔｏｍａｔｉｃ Ｒｅｐｅａｔ ｒｅＱｕｅｓｔのフィードバック時間指示情報)によって決定する。図１に示されるように、ＤＣＩは、図１に示される物理下り制御チャネル( ＰＤＣＣＨ、Ｐｈｙｓｉｃａｌ Ｄｏｗｎｌｉｎｋ Ｃｏｎｔｒｏｌ ＣＨａｎｎｅｌ )において搬送されることが理解される。例えば、ネットワークデバイスは、時間ユニット＃０においてＰＤＣＣＨを介してＰＤＳＣＨ伝送をスケジューリングし、このＰＤＣＣＨにおいて、このＰＤＳＣＨが対応する上りフィードバックのＰＤＳＣＨ-ＨＡＲＱのフィードバック時間ｎ＋ｋにおけるｋ = ５であること示し、図１において、ＰＤＣＣＨとＰＤＳＣＨが同じ時間ユニット上にあると仮定する。端末デバイスは、ｎ番目の時間ユニットでＰＤＳＣＨを受信した後、ｎ＋５番目の時間ユニットにおいてこのＰＤＳＣＨに対応するＨＡＲＱ情報をフィードバックし、すなわち、図１の時間ユニット＃５でＰＵＣＣＨを伝送し、このＰＵＣＣＨでは、時間ユニット＃０でＰＤＳＣＨに対応するＨＡＲＱ情報を搬送する。
【０００６】
端末デバイスは、信号を送信する前に、空きチャネル評価( ＣＣＡ、Ｃｌｅａｒ Ｃｈａｎｎｅｌ Ａｓｓｅｓｓｍｅｎｔ )によって免許不要スペクトル上のチャネルを検出する必要があり、チャネルが空っている場合にＰＵＣＣＨを送信することができ、そうでなければ送信できない。固定されたＰＤＳＣＨ−ＨＡＲＱフィードバック時間が使用される場合、ＰＤＳＣＨ−ＨＡＲＱフィードバック時間に従って決定されたＰＵＣＣＨリソースの比較的分散をもたらし、ネットワークデバイスの上りスケジューリングに影響を与える。
【発明の概要】
【０００７】
本発明の実施例は、上記の課題を解決するために、ハイブリッド自動再送要求ＨＡＲＱ情報の伝送方法、装置及びコンピュータ記憶媒体を提供する。
【０００８】
第１の態様は、ＨＡＲＱ情報の伝送方法を提供し、
端末デバイスが第１のＨＡＲＱ情報を決定し、前記第１のＨＡＲＱ情報は、前記端末デバイスが第１の下り時間ユニットにおいて受信した第１の下りデータチャネルに対応するＨＡＲＱ情報であり、前記第１の下りデータチャネルが第１の時系列の値に対応し、
前記端末デバイスが第１の上り時間ユニットにおいて第１の上り制御情報を伝送し、前記第１の上り制御情報が前記第１のＨＡＲＱ情報を含み、ここで、前記第１の上り時間ユニットと前記第１の下り時間ユニットとの時間距離が前記第１の時系列の値以上である。
【０００９】
任意選択で、前記第１の下り時間ユニットが第１の下り伝送機会における時間ユニットであり、前記第１の上り時間ユニットが第１の上り伝送機会における時間ユニットであり、前記第１の上り伝送機会が前記第１の下り伝送機会よりも遅い。
【００１０】
選択可能な実施例において、前記方法は、さらに、
前記端末デバイスが第２の下り時間ユニットにおいて第１の情報を受信することを含み、前記第１の情報が第２の時系列の値を決定するために使用され、前記第２の時系列の値が前記第１の上り時間ユニットと基準時間ユニットとの時間距離であり、ここで、
前記基準時間ユニットと前記第２の下り時間ユニットとが同じ時間ユニットであり、又は、
前記基準時間ユニットが前記第１の下り伝送機会における最後の下り時間ユニットであり、又は、
前記基準時間ユニットが前記第１の上り伝送機会における１番目の上り時間ユニットである。
【００１１】
選択可能な実施例において、前記第１の時系列の値と前記第２の時系列の値との差が第１の値であり、前記第１の下り時間ユニットと前記基準時間ユニットとの時間距離が前記第１の値以上である。
【００１２】
選択可能な実施例において、前記第１の時系列の値は、前記第１の下りデータチャネルにより伝送される第１の下り制御情報をスケジューリングすることにより得られる。
【００１３】
選択可能な実施例において、前記第１の上り制御情報が第２のＨＡＲＱ情報をさらに含み、ここで、前記第２のＨＡＲＱ情報は、前記端末デバイスが第３の下り時間ユニットにおいて受信した第２の下りデータチャネルに対応するＨＡＲＱ情報であり、前記第２の下りデータチャネルが第３の時系列の値に対応し、前記第３の下り時間ユニットが前記第１の下り伝送機会における時間ユニットであり、前記第１の上り時間ユニットと前記第３の下り時間ユニットとの時間距離が前記第３の時系列の値以上である。
【００１４】
なお、時系列の値に基づいて少なくとも２つのＨＡＲＱ情報が少なくとも２つの異なる時間ユニットで伝送されることを決定する場合(例えば、第１のＨＡＲＱ情報が第１の時系列の値に基づいて第１の時間ユニットで伝送され、第２のＨＡＲＱ情報が第３の時系列の値に基づいて第２の時間ユニットで送信される)、少なくとも２つのＨＡＲＱ情報を同じ時間ユニットで送信することで、ネットワークデバイスが、上りフィードバック情報を伝送するための時間ユニットをより集中的に割り当てることを可能にし、それによって、免許不要キャリア上の上下リソース割り当てをより柔軟に決定することができる。
【００１５】
選択可能な実施例において、前記方法は、さらに、
前記端末デバイスが第２の上り時間ユニットにおいて前記第１の上り制御情報を伝送することを含み、前記第２の上り時間ユニットが前記第１の上り時間ユニットよりも遅い。
【００１６】
なお、少なくとも２つの上り時間ユニット（例えば、第１の上り時間ユニット及び第２の上り時間ユニット）を使用して第１の上り制御情報を伝送することで、第１の上り制御情報の正確な伝送確率を増加させ、それによって通信リンクの性能を保証することができる。
【００１７】
選択可能な実施例において、前記第２の上り時間ユニットが前記第１の上り伝送機会における時間ユニットであり、又は、
前記第２の上り時間ユニットが第２の上り伝送機会における時間ユニットである。
【００１８】
選択可能な実施例において、前記方法は、さらに、
前記端末デバイスが第３のＨＡＲＱ情報を決定し、前記第３のＨＡＲＱ情報は、前記端末デバイスが第４の下り時間ユニットにおいて受信した第３の下りデータチャネルに対応するＨＡＲＱ情報であり、前記第３の下りデータチャネルが第４の時系列の値に対応し、前記第４の下り時間ユニットが前記第１の下り伝送機会における時間ユニットであり、前記第４の下り時間ユニットと前記基準時間ユニットとの時間距離が前記第１の値よりも小さいことと、
前記端末デバイスが第３の上り時間ユニットにおいて第２の上り制御情報を伝送し、前記第２の上り制御情報が前記第３のＨＡＲＱ情報を含み、前記第３の上り時間ユニットと前記第４の下り時間ユニットとの時間距離が前記第４の時系列の値以上であることとを含む。
【００１９】
選択可能な実施例において、前記第３の上り時間ユニットが前記第１の上り伝送機会における時間ユニットであり、又は、
前記第３の上り時間ユニットが第３の上り伝送機会における時間ユニットである。
【００２０】
第２の態様は、ＨＡＲＱ情報の伝送方法を提供し、
ネットワークデバイスが第１の上り時間ユニットにおいて端末デバイスにより送信された第１の上り制御情報を受信し、前記第１の上り制御情報が第１のハイブリッド自動再送要求ＨＡＲＱ情報を含み、ここで、前記第１のＨＡＲＱ情報は、前記端末デバイスが第１の下り時間ユニットにおいて受信した第１の下りデータチャネルに対応するＨＡＲＱ情報であり、前記第１の下りデータチャネルが第１の時系列の値に対応し、前記第１の上り時間ユニットと前記第１の下り時間ユニットとの時間距離が前記第１の時系列の値以上であり、
前記ネットワークデバイスが前記第１の上り制御情報に基づいて前記第１のＨＡＲＱ情報を決定する。
【００２１】
任意選択で、前記第１の下り時間ユニットが第１の下り伝送機会における時間ユニットであり、前記第１の上り時間ユニットが第１の上り伝送機会における時間ユニットであり、前記第１の上り伝送機会が前記第１の下り伝送機会よりも遅い。
【００２２】
選択可能な実施例において、前記方法は、さらに、
前記ネットワークデバイスが第２の下り時間ユニットにおいて第１の情報を送信し、前記第１の情報は、前記端末デバイスが第２の時系列の値を決定するために使用され、前記第２の時系列の値が前記第１の上り時間ユニットと基準時間ユニットとの時間距離であり、ここで、
前記基準時間ユニットと前記第２の下り時間ユニットとが同じ時間ユニットであり、又は、
前記基準時間ユニットが前記第１の下り伝送機会における最後の下り時間ユニットであり、又は、
前記基準時間ユニットが前記第１の上り伝送機会における１番目の上り時間ユニットである。
【００２３】
選択可能な実施例において、前記第１の時系列の値と前記第２の時系列の値との差が第１の値であり、前記第１の下り時間ユニットと前記基準時間ユニットとの時間距離が前記第１の値以上である。
【００２４】
選択可能な実施例において、前記方法は、さらに、
前記ネットワークデバイスが第１の下り制御情報を送信し、前記第１の下り制御情報が前記第１の下りデータチャネルをスケジューリングするために使用され、前記第１の下り制御情報は、さらに、前記端末デバイスが前記第１の時系列の値を決定するために使用される。
【００２５】
選択可能な実施例において、前記第１の上り制御情報が第２のＨＡＲＱ情報をさらに含み、ここで、前記第２のＨＡＲＱ情報は、前記端末デバイスが第３の下り時間ユニットにおいて受信した第２の下りデータチャネルに対応するＨＡＲＱ情報であり、前記第２の下りデータチャネルが第３の時系列の値に対応し、前記第３の下り時間ユニットが前記第１の下り伝送機会における時間ユニットであり、前記第１の上り時間ユニットと前記第３の下り時間ユニットとの時間距離が前記第３の時系列の値以上であり、
前記ネットワークデバイスが前記第１の上り制御情報に基づいて前記第２のＨＡＲＱ情報を決定する。
【００２６】
選択可能な実施例において、前記方法は、さらに、
前記ネットワークデバイスが第２の上り時間ユニットにおいて前記端末デバイスにより送信された前記第１の上り制御情報を受信し、前記第２の上り時間ユニットが前記第１の上り時間ユニットよりも遅いことを含む。
【００２７】
なお、少なくとも２つの上り時間ユニット（例えば、第１の上り時間ユニット及び第２の上り時間ユニット）を使用して第１の上り制御情報を伝送することで、第１の上り制御情報の正確な伝送確率を増加させ、それによって通信リンクの性能を保証するができる。
【００２８】
選択可能な実施例において、前記第２の上り時間ユニットが前記第１の上り伝送機会における時間ユニットであり、又は、
前記第２の上り時間ユニットが第２の上り伝送機会における時間ユニットである。
【００２９】
選択可能な実施例において、前記方法は、さらに、
前記ネットワークデバイスが第３の上り時間ユニットにおいて前記端末デバイスにより送信された第２の上り制御情報を受信し、前記第２の上り制御情報が第３のＨＡＲＱ情報を含み、ここで、前記第３のＨＡＲＱ情報は、前記端末デバイスが第４の下り時間ユニットにおいて受信した第３の下りデータチャネルに対応するＨＡＲＱ情報であり、前記第３の下りデータチャネルが第４の時系列の値に対応し、前記第４の下り時間ユニットが前記第１の下り伝送機会における時間ユニットであり、前記第４の下り時間ユニットと前記基準時間ユニットとの時間距離が前記第１の値よりも小さく、前記第３の上り時間ユニットと前記第４の下り時間ユニットとの時間距離が前記第４の時系列の値以上であり、
前記ネットワークデバイスが前記第２の上り制御情報に基づいて前記第３のＨＡＲＱ情報を決定することを含む。
【００３０】
選択可能な実施例において、前記第３の上り時間ユニットが前記第１の上り伝送機会における時間ユニットであり、又は、
前記第３の上り時間ユニットが第３の上り伝送機会における時間ユニットである。
【００３１】
第３の態様は、上述の第１の態様または第１の態様の可能な実装のいずれかにおける方法を実行するための情報伝送装置を提供する。具体的には、装置は、上記の第１の態様または第１の態様の任意の可能な実施態様における方法を実行するためのユニットを含む。
【００３２】
第４の態様は、上述の第２の態様または第２の態様の可能な実装のいずれかにおける方法を実行するための情報伝送装置を提供する。具体的には、装置は、上記の第２の態様または第２の態様の任意の可能な実施態様における方法を実行するためのユニットを含む。
【００３３】
第５の態様は、情報伝送デバイスを提供し、メモリと、プロセッサと、入力インタフェースと、出力インタフェースとを備える。ここで、メモリ、プロセッサ、入力インタフェース、出力インタフェースは、バスシステムを介して接続される。メモリは、命令を記憶するために使用され、プロセッサは、メモリに記憶された命令を実行して、第１の態様または第１の態様の任意の可能な実装形態において、方法を実行するために使用される。
【００３４】
第６の態様は、情報伝送デバイスを提供し、メモリと、プロセッサと、入力インタフェースと、出力インタフェースとを備える。ここで、メモリ、プロセッサ、入力インタフェース、出力インタフェースは、バスシステムを介して接続される。メモリは、命令を記憶するために使用され、プロセッサは、メモリに記憶された命令を実行して、第２の態様または第２の態様の任意の可能な実装形態において、方法を実行するために使用される。
【００３５】
第７の態様は、上記の第１の態様または第１の態様の可能な実装形態のいずれかを実行するための方法を実行するためのコンピュータソフトウェア命令を記憶するためのコンピュータ記憶媒体を提供し、上記の態様を実行するように設計されたプログラムを含む。
【００３６】
第８の態様は、上記の第２の態様または第２の態様の可能な実装形態のいずれかを実行するための方法を実行するためのコンピュータソフトウェア命令を記憶するためのコンピュータ記憶媒体を提供し、上記の態様を実行するように設計されたプログラムを含む。
【００３７】
第９の態様は、命令を備えるコンピュータプログラム製品を提供し、コンピュータ上で実行されると、コンピュータに、上述の第１の態様または第１の態様の任意の実施態様における方法を実行させる。
【００３８】
第１０の態様は、命令を備えるコンピュータプログラム製品を提供し、コンピュータ上で実行されると、コンピュータに、上述の第２の態様または第２の態様の任意の実施態様における方法を実行させる。
【００３９】
本発明の実施例に係る技術案において、端末デバイスが第１のハイブリッド自動再送要求ＨＡＲＱ情報を決定し、前記第１のＨＡＲＱ情報は、前記端末デバイスが第１の下り時間ユニットにおいて受信した第１の下りデータチャネルに対応するＨＡＲＱ情報であり、前記第１の下りデータチャネルが第１の時系列の値に対応し、前記第１の下り時間ユニットが第１の下り伝送機会における時間ユニットであり、
前記端末デバイスが第１の上り時間ユニットにおいて第１の上り制御情報を伝送し、前記第１の上り制御情報が前記第１のＨＡＲＱ情報を含み、ここで、前記第１の上り時間ユニットが第１の上り伝送機会における時間ユニットであり、前記第１の上り伝送機会が前記第１の下り伝送機会よりも遅く、前記第１の上り時間ユニットと前記第１の下り時間ユニットとの時間距離が前記第１の時系列の値以上である。本発明の実施例の技術案によれば、免許不要キャリア上で上り制御情報をフィードバックする場合、ＰＤＳＣＨ-ＨＡＲＱフィードバック時系列を満たす１以上の時間ユニット上のＰＤＳＣＨに対応するＨＡＲＱ情報を、上り制御情報を伝送する時間ユニット上で柔軟にフィードバックすることにより、ネットワークデバイスは、通信リンク全体の遅延と性能を保証するとともに、免許不要スペクトル上の上り下りリソースを柔軟に効率的に割り当てることができる。
【図面の簡単な説明】
【００４０】
本明細書に記載された図面は、本発明の更なる理解を提供するために提供されたものであり、本発明の一部を構成し、本発明の例示的な実施形態及びその説明は、本発明を説明するためのものであり、本発明を限定するものではない。
【図１】ＰＤＳＣＨ-ＨＡＲＱフィードバックの時間領域の模式図である。
【図２】本発明の実施例におけるＨＡＲＱ情報の伝送方法のフローチャート一である。
【図３】本発明の実施例におけるＨＡＲＱ情報の伝送方法のフローチャート二である。
【図４】本発明の実施例におけるＰＤＳＣＨ−ＨＡＲＱフィードバックの時間領域の模式図である。
【図５】本発明の実施例におけるＨＡＲＱ情報の伝送装置の構成図一である。
【図６】本発明の実施例におけるＨＡＲＱ情報の伝送装置の構成図二である。
【図７】本発明の実施例におけるコンピュータデバイスの構成図である。
【発明を実施するための形態】
【００４１】
以下、本発明の実施例に係る技術的解決手段の理解を容易にするために、本発明の実施例に係る技術的解決手段を説明する。
【００４２】
１）免許不要スペクトル
免許不要スペクトルは、国及び地域によって区分された、無線装置の通信に利用可能なスペクトルであり、通常、共有スペクトルと見なされ、すなわち、異なる通信システムにおける通信装置は、そのスペクトルに設定された国又は地域の法的要件を満たす限り、政府に専用のスペクトル免許を申請することなく、そのスペクトルを使用することができる。免許不要スペクトルを用いて無線通信を行う各通信システムが、そのスペクトル上で容易に共存できるようにするために、免許不要スペクトルを用いることが満たさなければならない法規要件が国や地域によって規定されている。例えば、欧州地域では、通信装置は、ＬＢＴ （Ｌｉｓｔｅｎ Ｂｅｆｏｒｅ Ｔａｌｋ )の原則に従い、即ち、通信装置が免許不要スペクトルのチャネル上で信号送信を行う前に、チャネルリッスンを行う必要があり、チャネルセンスの結果、チャネルが空っている場合にのみ、信号送信を行うことができ、通信装置は、免許不要周波数帯域のチャネルにおけるチャネルセンスの結果、チャネルがビジーである場合には、信号送信を行うことができない。１回の伝送で免許不要スペクトルのチャネルを使用して信号伝送を行う期間は、公平性を確保するために最大チャネル占有時間( ＭＣＯＴ、Ｍａｘｉｍｕｍ Ｃｈａｎｎｅｌ Ｏｃｃｕｐａｔｉｏｎ Ｔｉｍｅ )を超えることがない。また、例えば、免許不要スペクトルチャネル上で伝送される信号に対するサブバンド干渉を回避するため、また、免許不要スペクトルチャネルの検出における通信デバイスの検出精度を高めるために、免許不要スペクトルチャネル上で伝送される信号は、少なくともチャネル帯域幅の一定の割合を占める必要があり、例えば、５ＧＨｚ帯は、チャネル帯域幅を占める信号の８０％であり、６０ＧＨｚ帯は、チャネル帯域幅を占める信号の７０％である。また、例えば、免許不要スペクトルのチャネル上で伝送される信号の電力が大きすぎて、そのチャネル上の他の重要な信号、例えばレーダ信号などの送信に影響を与えることを避けるために、法規は、通信デバイスが免許不要スペクトルのチャネルを使用して信号を伝送するときの最大電力スペクトル密度を規定する。
【００４３】
２）ネットワークアーキテクチャ
本発明の実施形態は、ＧＳＭ （ Ｇｌｏｂａｌ Ｓｙｓｔｅｍ ｏｆ Ｍｏｂｉｌｅ ｃｏｍｍｕｎｉｃａｔｉｏｎ )システム、ＣＤＭＡシステム、ＷＣＤＭＡシステム、ＧＰＲＳ （ Ｇｅｎｅｒａｌ Ｐａｃｋｅｔ Ｒａｄｉｏ Ｓｅｒvice )システム、ＵＭＴＳ （ Ｕｎｉｖｅｒｓａｌ Ｍｏｂｉｌｅ Ｔｅｌｅｃｏｍｍｕｎｉｃａｔｉｏｎ Ｓｙｓｔｅｍ ）、ＬＴＥシステム、及びＬＴＥシステムのエボリューションシステム、例えばＬＴＥ−Ａ（ Ａｄｖａｎｃｅｄ ｌｏｎｇ ｔｅｒｍ ｅｖｏｌｕｔｉｏｎ )システム、ＮＲシステム、およびＮＲシステムのエボリューションシステム、例えば免許不要スペクトル上のＮＲ ( ＮＲ−Ｕ、ＮＲ−ｂａｓｅｄ ａｃｃｅｓｓ ｔｏ Ｕｎｌｉｃｅｎｓｅｄ ｓｐｅｃｔｒｕｍ )システム、または次世代通信システムなどの様々な通信システムに適用され得る。
【００４４】
通常、従来の通信システムがサポートする接続数は限られており、実現も容易であるが、通信技術の発展に伴い、モバイル通信システムは、従来の通信だけでなく、例えば、デバイスツーデバイス( Ｄ２Ｄ、Ｄｅｖｉｃｅ ｔｏ Ｄｅｖｉｃｅ )通信、マシンツーマシン( Ｍ２Ｍ、Ｍａｃｈｉｎｅ ｔｏ Ｍａｃｈｉｎｅ )通信、マシンタイプ通信( ＭＴＣ、Ｍａｃｈｉｎｅ Ｔｙｐｅ Ｃｏｍｍｕｎｉｃａｔｉｏｎ )、及び車両間通信( Ｖ２Ｖ、Ｖｅｈｉｃｌｅ ｔｏ Ｖｅｈｉｃｌｅ )もサポートする。
【００４５】
本発明の実施例に係る通信システムは、キャリアアグリゲーション( ＣＡ、Ｃａｒｒｉｅｒ Ａｇｇｒｅｇａｔｉｏｎ )シナリオに適用されてもよく、デュアルコネクティビティ( ＤＣ、Ｄｕａｌ Ｃｏｎｎｅｃｔｉｖｉｔｙ )シナリオに適用されてもよく、スタンドアロン( ＳＡ、Ｓｔａｎｄａｌｏｎｅ )ネットワーキングシナリオに適用されてもよい。
【００４６】
本発明は、ネットワークデバイス及び端末デバイスに関連して様々な実施形態を説明し、ここで、
端末デバイスは、ユーザ機器( ＵＥ、Ｕｓｅｒ Ｅｑｕｉｐｍｅｎｔ )、アクセス端末、ユーザ機器、ユーザ局、移動局、リモート端末、モバイル機器、ユーザ端末、無線通信機器、ユーザエージェント、またはユーザ装置とも呼ばれ得る。端末デバイスは、無線ローカルエリアネットワーク( ＷＬＡＮ、Ｗｉｒｅｌｅｓｓ Ｌｏｃａｌ Ａｒｅａ Ｎｅｔｗｏｒｋｓ )内のサイト（ ＳＴ、ＳＴＡＩＯＮ )であってもよく、セルラー電話、コードレス電話、セッション開始プロトコル( ＳＩＰ、Ｓｅｓｓｉｏｎ Ｉｎｉｔｉａｔｉｏｎ Ｐｒｏｔｏｃｏｌ )電話、無線ローカルループ( ＷＬＬ、Ｗｉｒｅｌｅｓｓ Ｌｏｃａｌ Ｌｏｏｐ )局、パーソナル・デジタル処理( ＰＤＡ、Ｐｅｒｓｏｎａｌ Ｄｉｇｉｔａｌ Ａｓｓｉｓｔａｎｔ )装置、無線通信機能を有するハンドヘルド装置、コンピューティング装置、または無線モデムに接続された他の処理装置、車載装置、ウェアラブル装置、および次世代通信システム、例えば、第５世代通信( ５Ｇ、ｆｉｆｔｈ ｇｅｎｅｒａｔｉｏｎ )ネットワーク内の端末デバイス、または将来進化するパブリック地上波モバイル・ネットワーク( ＰＬＭＮ、Ｐｕｂｌｉｃ Ｌａｎｄ Ｍｏｂｉｌｅ Ｎｅｔｗｏｒｋ )ネットワーク内の端末デバイスなどであってもよい。
【００４７】
限定ではなく例として、本発明の実施形態において、該端末デバイスはウェアラブル装置であってもよい。ウェアラブルデバイスは、ウェアラブルスマートデバイスとも呼ばれ、眼鏡、手袋、腕時計、衣類、及び靴などのウェアラブル技術を応用して日常の着用を知的に設計し、ウェアラブルなデバイスを開発する総称である。ウェアラブルデバイスは、直接身に着けるか、またはユーザの衣服またはアクセサリに一体化されたポータブルデバイスである。ウェアラブルデバイスは、ハードウェアデバイスの一種だけではなく、ソフトウェアサポートとデータ相互作用、クラウド相互作用によって、より強力な機能を実現する。広義のウェアラブルスマートデバイスは、スマートウォッチやスマートグラスなどの機能の全部または一部をスマートフォンに依存せずに実現することができる、大きく、かつ、スマートフォンに依存せずに実現することができる機能、および、例えば、様々な種類の身体監視のためにスマートフォンなどの他のデバイスとの協働を必要とする、ある種のアプリケーション機能にのみ焦点を当てるスマートリング、スマートアクセサリなどを含む。
【００４８】
ネットワークデバイスは、モバイルデバイスと通信するためのデバイスであってもよく、ネットワークデバイスは、ＷＬＡＮにおけるアクセスポイント( ＡＰ、Ａｃｃｅｓｓ Ｐｏｉｎｔ )、ＧＳＭ又はＣＤＭＡにおける基地局（ ＢＴＳ、Ｂａｓｅ Ｔｒａｎｓｃｅｉｖｅｒ Ｓｔａｔｉｏｎ )、ＷＣＤＭＡにおける基地局（ ＮＢ、ＮｏｄｅＢ ）であってもよく、ＬＴＥにおける発展型基地局（ ｅＮＢまたはｅＮｏｄｅＢ、Ｅｖｏｌｕｔｉｏｎａｌ Ｎｏｄｅ Ｂ )、中継局またはアクセスポイント、または車載デバイス、ウェアラブルデバイス、およびＮＲネットワークにおけるネットワークデバイス、または将来発展するＰＬＭＮネットワークにおけるネットワークデバイスなどであってもよい。
【００４９】
本発明の実施例において、ネットワークデバイスは、端末デバイスが使用する送信リソース(例えば、周波数領域リソース、又は、スペクトルリソース)によりネットワークデバイスと通信するセルを提供し、該セルは、ネットワークデバイス(例えば、基地局)に対応するセルであってよく、セルは、マクロ基地局に属してよく、又は、スモールセル( ｓｍａｌｌ ｃｅｌｌ )に対応する基地局に属してよく、ここで、スモールセルは、カバレッジが小さく、送信電力が低いという特徴を有する、高レートのデータ伝送サービスを提供するのに適した、都市セル( Ｍｅｔｒｏ ｃｅｌｌ )、マイクロセル( Ｍｉｃｒｏ ｃｅｌｌ )、ピコセル( Ｐｉｃｏ ｃｅｌｌ )、フェムトセル( Ｆｅｍｔｏ ｃｅｌｌ )等を含んでよい。
【００５０】
本発明の実施例において、ＬＴＥシステム又はＮＲシステムにおけるキャリア上で複数のセルが同時に同周波で動作してもよく、特定のシナリオでは、上記キャリアはセルの概念と等価であると考えられてもよい。例えば、ＣＡシナリオでは、二次キャリアがＵＥのために構成されるとき、二次キャリアのキャリアインデックスと二次キャリア上で動作する二次セルのセル識別情報( Ｃｅｌｌ ＩＤ、Ｃｅｌｌ Ｉｎｄｅｎｔｉｆｙ )とを同時に搬送することができ、この場合、キャリアは、UEが１つのキャリアにアクセスすること及び１つのセルにアクセスすることなど、セルの概念と等価であると考えられ得る。
【００５１】
なお、本発明の実施例による物理上り制御チャネル( ＰＵＣＣＨ、Ｐｈｙｓｉｃａｌ Ｕｐｌｉｎｋ Ｃｏｎｔｒｏｌ ＣＨａｎｎｅｌ )は、ＬＴＥシステムにおけるＰＵＣＣＨであってもよいし、ＮＲシステムにおけるＰＵＣＣＨであってもよいし、他のシステムにおける上り制御チャネルであってもよいし、本発明はこれに限定されない。
【００５２】
本発明の実施例において、上り制御情報は、ハイブリッド自動再送( ＨＡＲＱ、Ｈｙｂｒｉｄ Ａｕｔｏｍａｔｉｃ Ｒｅｐｅａｔ ｒｅＱｕｅｓｔ )情報、チャネル状態情報( ＣＳＩ、Ｃｈａｎｎｅｌ−Ｓｔａｔｅ Ｉｎｆｏｒｍａｔｉｏｎ )、スケジューリング要求( ＳＲ、Ｓｃｈｅｄｕｌｅ Ｒｅｑｕｅｓｔ )情報及びＵＥが送信する他の制御情報のうち少なくとも１つを含んでもよい。ここで、ＣＳＩ情報は、ランク指示( ＲＩ、Ｒａｎｋ Ｉｎｄｉｃａｔｏｒ )情報、プリコーディング指示( ＰＭＩ、Ｐｒｅｃｏｄｉｎｇ Ｍａｔｒｉｘ Ｉｎｄｉｃａｔｏｒ )情報、チャネル品質指示（ ＣＱＩ、Ｃｈａｎｎｅｌ Ｑｕａｌｉｔｙ Ｉｎｄｉｃａｔｏｒ )情報のうち少なくとも１つを含む。
【００５３】
本発明の実施例では、上り制御情報はＰＵＣＣＨで伝送されてもよいし、物理上り共有チャネル( ＰＵＳＣＨ、Ｐｈｙｓｉｃａｌ Ｕｐｌｉｎｋ Ｓｈａｒｅｄ ＣＨａｎｎｅｌ )で伝送されてもよいが、本発明はこれに限定されない。
【００５４】
任意選択で、本発明の実施例において、１回の下り伝送機会は、下り情報を伝送するための１つ又は複数の連続した時間ユニットとして定義されてもよく、同様に、１回の上り伝送機会は、上り情報を送信するための１つ又は複数の連続した時間ユニットとして定義されてもよい。
【００５５】
本発明の実施例において、１つの時間ユニットは、１つ又は複数のサブフレームとして定義されてもよいし、１つ又は複数のスロットとして定義されてもよいし、１つ又は複数のマイクロスロット又はシンボル等として定義されてもよい。１回の下り伝送機会又は１回の上り伝送機会の開始時間ユニット及び/又は終了時間ユニットは、完全な時間ユニットであってもよいし、部分的な時間ユニット等であってもよく、本発明の実施例はこれに限定されない。
【００５６】
任意選択で、本発明における時間ユニットは、完全な時間ユニットを指してもよいし、不完全な時間ユニットを指してもよい。例えば、１つの上り時間ユニットに対して、１つの時間ユニットにおける全てのシンボルが上り伝送に使用されることを意味してもよいし、１つの時間ユニットにおける一部のシンボルが上り伝送に使用されることを意味してもよく、本発明はこれに限定されない。
【００５７】
本発明の実施例の技術的解決策は、通信リンク全体の時間遅延及び性能を保証するために、ＮＲ−Ｕシステムにおいて柔軟性のあるＰＤＳＣＨ-ＨＡＲＱフィードバック時間(又は、時系列と呼ばれる)を導入する。
【００５８】
図２は本発明の実施例におけるＨＡＲＱ情報の伝送方法のフローチャート一であり、本発明の実施例において、図２に示すように、前記ＨＡＲＱ情報の伝送方法は、以下のステップを含み、
ステップ２０１において、端末デバイスが第１のＨＡＲＱ情報を決定し、前記第１のＨＡＲＱ情報は、前記端末デバイスが第１の下り時間ユニットにおいて受信した第１の下りデータチャネルに対応するＨＡＲＱ情報であり、前記第１の下りデータチャネルが第１の時系列の値に対応する。
【００５９】
任意選択で、前記第１の下り時間ユニットが第１の下り伝送機会における時間ユニットである。
【００６０】
任意選択で、前記第１の時系列の値は、前記端末デバイスのＨＡＲＱ処理能力により決定される。
【００６１】
任意選択で、前記第１の時系列の値は、前記第１の下りデータチャネル上で伝送されるサービスの優先度に従って決定される。
【００６２】
任意選択で、端末デバイスは、時間ユニット＃ｎにおいて、第１の下りデータチャネルを受信した後、この第１の下りデータチャネルの復調結果に基づいて第１のＨＡＲＱ情報を決定し、時間ユニット＃( ｎ＋ｋ )において、第１のＨＡＲＱ情報を最速にフィードバックすることができ、ｋが第１の下りデータチャネルに対応する第１の時系列の値である。
【００６３】
ステップ２０２において、前記端末デバイスが第１の上り時間ユニットにおいて第１の上り制御情報を伝送し、前記第１の上り制御情報が前記第１のＨＡＲＱ情報を含み、ここで、前記第１の上り時間ユニットと前記第１の下り時間ユニットとの時間距離が前記第１の時系列の値以上である。
【００６４】
任意選択で、前記第１の上り時間ユニットが第１の上り伝送機会における時間ユニットである。
【００６５】
任意選択で、前記第１の上り伝送機会が前記第１の下り伝送機会よりも遅い。
【００６６】
本願の実施例において、時間距離のユニットが時間ユニット、時系列の値の単位が時間ユニットであってもよい。時間距離を例とし、時間ユニット＃２と時間ユニット＃３との時間距離が１つの時間ユニットであり、時間ユニット＃５と時間ユニット＃８との時間距離が３つの時間ユニットである。時系列の値を例とし、時間ユニット＃５に伝送される下りデータチャネルに対応するＨＡＲＱ情報が時間ユニット＃８でフィードバックされる場合、時系列の値が３つの時間ユニットである。
【００６７】
図４を参照すると、ＰＤＳＣＨに対応する時系列の値をｋと示す。例えば、時間ユニット＃７におけるＰＤＳＣＨに対応する第１の時系列の値ｋ=６である。
【００６８】
ある実施例において、前記端末デバイスが第２の下り時間ユニットにおいて第１の情報を受信することを含み、前記第１の情報が第２の時系列の値を決定するために使用され、前記第２の時系列の値が前記第１の上り時間ユニットと基準時間ユニットとの時間距離であり、ここで、
前記基準時間ユニットと前記第２の下り時間ユニットとが同じ時間ユニットであり、又は、
前記基準時間ユニットが前記第１の下り伝送機会における最後の下り時間ユニットであり、又は、
前記基準時間ユニットが前記第１の上り伝送機会における１番目の上り時間ユニットである。
【００６９】
図４を参照すると、端末デバイスが時間ユニット＃３においてＰＤＣＣＨを受信し、該ＰＤＣＣＨが第１の情報を含み、前記第１の情報が第２の時系列の値ｍ（ここでｍ=３）を決定するために使用され、ｍの値と基準時間ユニットに基づいてＰＵＣＣＨ（即ち第１の上り時間ユニット）の位置を決定し、ここで、基準時間ユニットは、上記の前記基準時間ユニットと前記第２の下り時間ユニットとが同じ時間ユニットであり、又は、前記基準時間ユニットが前記第１の下り伝送機会における最後の下り時間ユニットであることを例とする。なお、基準時間ユニットは、上記の前記基準時間ユニットが前記第１の上り伝送機会における１番目の上り時間ユニットであることを例とする場合、基準時間ユニットが図４における時間ユニット＃４であり、第２の時系列の値ｍ=２である。
【００７０】
ある実施例において、前記第１の時系列の値（図４のｋ値）と前記第２の時系列の値（図４のｍ値）との差が第１の値であり、前記第１の上り時間ユニットと前記第１の下り時間ユニットとの時間距離が前記第１の時系列の値以上である場合、前記第１の下り時間ユニットと前記基準時間ユニットとの時間距離が前記第１の値以上である。
【００７１】
ある実施例において、前記第１の時系列の値は、前記第１の下りデータチャネルにより伝送される第１の下り制御情報をスケジューリングすることにより得られる。即ち、第１の下り制御情報で前記第１の下りデータチャネルをスケジューリングして伝送する場合、前記第１の下り制御情報において前記第１の下りデータチャネルに対応する第１の時系列の値を示す。
【００７２】
なお、前記第１の下り制御情報と前記第１の下りデータチャネルとは、同じ時間ユニットに位置してもよいし、異なる時間ユニットに位置してもよく、本発明がこれに限定されない。
【００７３】
ある実施例において、前記第１の上り制御情報が第２のＨＡＲＱ情報をさらに含み、ここで、前記第２のＨＡＲＱ情報は、前記端末デバイスが第３の下り時間ユニットにおいて受信した第２の下りデータチャネルに対応するＨＡＲＱ情報であり、前記第２の下りデータチャネルが第３の時系列の値に対応し、前記第３の下り時間ユニットが前記第１の下り伝送機会における時間ユニットであり、前記第１の上り時間ユニットと前記第３の下り時間ユニットとの時間距離が前記第３の時系列の値以上である。
【００７４】
図４を参照すると、各ＰＤＳＣＨが１つの時系列の値ｋに対応する。例えば、時間ユニット＃７（即ち第１の下り時間ユニット）におけるＰＤＳＣＨが対応する第１の時系列の値ｋ=６、対応するＨＡＲＱ情報が第１のＨＡＲＱ情報、時間ユニット＃２（即ち第３の下り時間ユニット）におけるＰＤＳＣＨが対応する第３の時系列の値ｋ=４、対応するＨＡＲＱ情報が第２のＨＡＲＱ情報である。第１のＨＡＲＱ情報と第２のＨＡＲＱ情報とのいずれも時間ユニット＃６（即ち第１の上り時間ユニット）におけるＰＵＣＣＨで伝送される。なお、第１のＨＡＲＱ情報と第２のＨＡＲＱ情報とは、ＰＵＳＣＨで伝送されてもよく、本発明がこれに限定されない。
【００７５】
ここで、前記第１の上り制御情報に少なくとも２つのＨＡＲＱ情報が含まれ、図４を参照すると、時間ユニットの番号が＃０〜＃９の繰り返し番号であり、免許不要スペクトルにおいて１回の下り伝送が７つの時間ユニットを含み、ここで、ＰＤＳＣＨが位置する時間ユニットが時間ユニット＃７、時間ユニット＃８、時間ユニット＃９、時間ユニット＃０、時間ユニット＃１、時間ユニット＃２、及び時間ユニット＃３の一部の時間ユニットを含み、なお、ＰＵＣＣＨ（即ち１番目のＰＵＣＣＨ）が時間ユニット＃６に位置し、ここで、時間ユニット＃７におけるＰＤＳＣＨが対応する時系列の値ｋ=６であり、時間ユニット＃８におけるＰＤＳＣＨが対応する時系列の値ｋ=６であり、時間ユニット＃９におけるＰＤＳＣＨが対応する時系列の値ｋ=６であり、時間ユニット＃０におけるＰＤＳＣＨが対応する時系列の値ｋ=８であり、時間ユニット＃１におけるＰＤＳＣＨが対応する時系列の値ｋ=８であり、時間ユニット＃２におけるＰＤＳＣＨが対応する時系列の値ｋ=４であり、時間ユニット＃３におけるＰＤＳＣＨが対応する時系列の値ｋ=２であり、このように、１）前記第１の上り時間ユニットと前記第１の下り時間ユニットとの時間距離が前記第１の時系列の値以上であること、又は２）前記第１の下り時間ユニットと前記基準時間ユニットとの時間距離が前記第１の値以上であることを満たす時間ユニットは、時間ユニット＃７、時間ユニット＃８、時間ユニット＃９、時間ユニット＃２、及び時間ユニット＃３を含み、したがって、時間ユニット＃６におけるＰＵＣＣＨが時間ユニット＃７、時間ユニット＃８、時間ユニット＃９、時間ユニット＃２、及び時間ユニット＃３におけるＰＤＳＣＨが対応するＨＡＲＱを伝送することができる。
【００７６】
ある実施例において、前記端末デバイスが第２の上り時間ユニットにおいて前記第１の上り制御情報を伝送することを含み、前記第２の上り時間ユニットが前記第１の上り時間ユニットよりも遅い。ここで、第１の上り制御情報は、複数の上り時間ユニットで繰り返して伝送されてもよい。前記第１の上り時間ユニットで前記第１の上り制御情報の伝送が失敗した場合、前記第１の上り時間ユニットの後の位置する前記第２の上り時間ユニットにおいて前記第１の上り制御情報を繰り返して伝送することで、前記第１の上り制御情報の送信確率を向上させることができる。
【００７７】
ある実施例において、前記第２の上り時間ユニットが前記第１の上り伝送機会における時間ユニットであり、又は、前記第２の上り時間ユニットが第２の上り伝送機会における時間ユニットである。即ち、前記第１の上り制御情報の繰り返し伝送に使用されるリソースは、前記第１の上り制御情報の１番目の伝送リソースとは、同じ上り伝送機会に位置してもよいし、異なる上り伝送機会に位置してもよい。
【００７８】
本願の実施例において、前記端末デバイスが第３のＨＡＲＱ情報を決定し、前記第３のＨＡＲＱ情報は、前記端末デバイスが第４の下り時間ユニットにおいて受信した第３の下りデータチャネルに対応するＨＡＲＱ情報であり、前記第３の下りデータチャネルが第４の時系列の値に対応し、前記第４の下り時間ユニットが前記第１の下り伝送機会における時間ユニットであり、前記第４の下り時間ユニットと前記基準時間ユニットとの時間距離が前記第１の値よりも小さく、
前記端末デバイスが第３の上り時間ユニットにおいて第２の上り制御情報を伝送し、前記第２の上り制御情報が前記第３のＨＡＲＱ情報を含み、前記第３の上り時間ユニットと前記第４の下り時間ユニットとの時間距離が前記第４の時系列の値以上である。
【００７９】
すなわち、フィードバック条件として前記第１の上り時間ユニットでフィードバックすることを満たさないＨＡＲＱ情報は、フィードバック条件を満たした後に、第３の上り時間ユニット(第１の上り時間ユニットの後の他の時間ユニットは、上りＨＡＲＱ情報のフィードバックの時間ユニットに使用される)でＨＡＲＱ情報がフィードバックされてもよい。
【００８０】
ある実施例において、前記第３の上り時間ユニットが前記第１の上り伝送機会における時間ユニットであり、又は、前記第３の上り時間ユニットが第３の上り伝送機会における時間ユニットである。即ち、前記第３の上り時間ユニットと前記第１の上り時間ユニットは、同じ上り伝送機会に位置してもよく、異なる上り伝送機会に位置してもよい。
【００８１】
図４を参照すると、時間ユニットの番号が＃０〜＃９の繰り返し番号であり、免許不要スペクトルにおいて１回の下り伝送にが７つの時間ユニットを含み、ここで、ＰＤＳＣＨが位置する時間ユニットが時間ユニット＃７、時間ユニット＃８、時間ユニット＃９、時間ユニット＃０、時間ユニット＃１、時間ユニット＃２、及び時間ユニット＃３の一部の時間ユニットを含み、なお、１番目のＰＵＣＣＨリソースが時間ユニット＃６に位置し、２番目のＰＵＣＣＨリソースが1番目のＰＵＣＣＨリソースの後に位置し、ここで、時間ユニット＃７におけるＰＤＳＣＨが対応する時系列の値ｋ=６、時間ユニット＃８におけるＰＤＳＣＨが対応する時系列の値ｋ=６、時間ユニット＃９におけるＰＤＳＣＨが対応する時系列の値ｋ=６、時間ユニット＃０におけるＰＤＳＣＨが対応する時系列の値ｋ=８、時間ユニット＃１におけるＰＤＳＣＨが対応する時系列の値ｋ=８、時間ユニット＃２におけるＰＤＳＣＨが対応する時系列の値ｋ=４、時間ユニット＃３におけるＰＤＳＣＨが対応する時系列の値ｋ=２であり、このように、１）前記第１の上り時間ユニットと前記第１の下り時間ユニットとの時間距離が前記第１の時系列の値以上であること、又は、２）前記第１の下り時間ユニットと前記基準時間ユニットとの時間距離が前記第１の値以上であることを満たさない時間ユニットは、時間ユニット＃０、時間ユニット＃１を含み、このように、時間ユニット＃６におけるＰＵＣＣＨ（１番目のＰＵＣＣＨ）は、時間ユニット＃０及び時間ユニット＃１におけるＰＤＳＣＨが対応するＨＡＲＱを伝送することができなく、２番目のＰＵＣＣＨリソースで時間ユニット＃０及び時間ユニット＃１におけるＰＤＳＣＨが対応するＨＡＲＱを伝送する必要があり、さらに、該２番目のＰＵＣＣＨが位置する時間ユニット（即ち、第３の上り時間ユニット）は、前記第３の上り時間ユニットと前記第４の下り時間ユニット（即ち、時間ユニット＃０と時間ユニット＃１）との時間距離が第４の時系列の値（即ち、時間ユニット＃０におけるＰＤＳＣＨが対応するｋ=８、時間ユニット＃１におけるＰＤＳＣＨが対応するｋ=８）以上であることを満たす必要がある。
【００８２】
本発明の実施例の技術的な解決策によれば、免許不要キャリア上で上り制御情報をフィードバックする場合、上り制御情報を伝送するＰＵＣＣＨが位置する時間ユニット上にＰＤＳＣＨ-ＨＡＲＱフィードバック時間を満たす１以上の時間ユニット上でＰＤＳＣＨに対応するＨＡＲＱ情報を柔軟にフィードバックすることにより、ネットワークデバイスに、通信リンク全体の遅延及び性能を保証しつつ、免許不要スペクトル上の上下リソースを柔軟に効率的に割り当てることができる。
【００８３】
図３は本発明の実施例におけるＨＡＲＱ情報の伝送方法のフローチャート二であり、本発明の実施例において、図３に示すように、前記ＨＡＲＱ情報の伝送方法は、以下のステップを含み、
ステップ３０１において、ネットワークデバイスが第１の上り時間ユニットにおいて端末デバイスにより送信された第１の上り制御情報を受信し、前記第１の上り制御情報が第１のハイブリッド自動再送要求ＨＡＲＱ情報を含み、ここで、前記第１のＨＡＲＱ情報は、前記端末デバイスが第１の下り時間ユニットにおいて受信した第１の下りデータチャネルに対応するＨＡＲＱ情報であり、前記第１の下りデータチャネルが第１の時系列の値に対応し、前記第１の上り時間ユニットと前記第１の下り時間ユニットとの時間距離が前記第１の時系列の値以上である。
【００８４】
任意選択で、前記第１の下り時間ユニットが第１の下り伝送機会における時間ユニットであり、前記第１の上り時間ユニットが第１の上り伝送機会における時間ユニットであり、前記第１の上り伝送機会が前記第１の下り伝送機会よりも遅い。
【００８５】
ステップ３０２において、前記ネットワークデバイスが前記第１の上り制御情報に基づいて前記第１のＨＡＲＱ情報を決定する。
【００８６】
ある実施例において、前記ネットワークデバイスが第２の下り時間ユニットにおいて第１の情報を送信し、前記第１の情報は、前記端末デバイスが第２の時系列の値を決定するために使用され、前記第２の時系列の値が前記第１の上り時間ユニットと基準時間ユニットとの時間距離であり、ここで、
前記基準時間ユニットと前記第２の下り時間ユニットとが同じ時間ユニットであり、又は、
前記基準時間ユニットが前記第１の下り伝送機会における最後の下り時間ユニットであり、又は、
前記基準時間ユニットが前記第１の上り伝送機会における１番目の上り時間ユニットである。
【００８７】
ある実施例において、前記第１の時系列の値と前記第２の時系列の値との差が第１の値であり、前記第１の下り時間ユニットと前記基準時間ユニットとの時間距離が前記第１の値以上である。
【００８８】
ある実施例において、前記ネットワークデバイスが第１の下り制御情報を送信し、前記第１の下り制御情報が前記第１の下りデータチャネルをスケジューリングするために使用され、前記第１の下り制御情報は、さらに、前記端末デバイスが前記第１の時系列の値を決定するために使用される。
【００８９】
ある実施例において、前記第１の上り制御情報が第２のＨＡＲＱ情報をさらに含み、ここで、前記第２のＨＡＲＱ情報は、前記端末デバイスが第３の下り時間ユニットにおいて受信した第２の下りデータチャネルに対応するＨＡＲＱ情報であり、前記第２の下りデータチャネルが第３の時系列の値に対応し、前記第３の下り時間ユニットが前記第１の下り伝送機会における時間ユニットであり、前記第１の上り時間ユニットと前記第３の下り時間ユニットとの時間距離が前記第３の時系列の値以上であり、
前記ネットワークデバイスが前記第１の上り制御情報に基づいて前記第２のＨＡＲＱ情報を決定する。
【００９０】
ある実施例において、前記ネットワークデバイスが第２の上り時間ユニットにおいて前記端末デバイスにより送信された前記第１の上り制御情報を受信し、前記第２の上り時間ユニットが前記第１の上り時間ユニットよりも遅い。
【００９１】
ある実施例において、前記第２の上り時間ユニットが前記第１の上り伝送機会における時間ユニットであり、又は、
前記第２の上り時間ユニットが第２の上り伝送機会における時間ユニットである。
【００９２】
ある実施例において、前記方法は、さらに、
前記ネットワークデバイスが第３の上り時間ユニットにおいて前記端末デバイスにより送信された第２の上り制御情報を受信し、前記第２の上り制御情報が第３のＨＡＲＱ情報を含み、ここで、前記第３のＨＡＲＱ情報は、前記端末デバイスが第４の下り時間ユニットにおいて受信した第３の下りデータチャネルに対応するＨＡＲＱ情報であり、前記第３の下りデータチャネルが第４の時系列の値に対応し、前記第４の下り時間ユニットが前記第１の下り伝送機会における時間ユニットであり、前記第４の下り時間ユニットと前記基準時間ユニットとの時間距離が前記第１の値よりも小さく、前記第３の上り時間ユニットと前記第４の下り時間ユニットとの時間距離が前記第４の時系列の値以上であり、
前記ネットワークデバイスが前記第２の上り制御情報に基づいて前記第３のＨＡＲＱ情報を決定することを含む。
【００９３】
ある実施例において、前記第３の上り時間ユニットが前記第１の上り伝送機会における時間ユニットであり、又は、
前記第３の上り時間ユニットが第３の上り伝送機会における時間ユニットである。
【００９４】
なお、本発明のネットワークデバイス側の実施形態は、端末デバイス側の実施形態を参照すれば理解でき、ネットワークデバイス側の情報フィードバック方法は、端末デバイスの情報フィードバック方法と対応するフロー及び効果を有する。
【００９５】
図５は本発明の実施例におけるＨＡＲＱ情報の伝送装置の構成図一であり、本発明の実施例において、図５に示すように、前記ＨＡＲＱ情報の伝送装置は、決定ユニット５０１及び第１の伝送ユニット５０２を含み、
決定ユニット５０１は、第１のハイブリッド自動再送要求ＨＡＲＱ情報を決定するように構成され、前記第１のＨＡＲＱ情報は、前記端末デバイスが第１の下り時間ユニットにおいて受信した第１の下りデータチャネルに対応するＨＡＲＱ情報であり、前記第１の下りデータチャネルが第１の時系列の値に対応し、
第１の伝送ユニット５０２は、第１の上り時間ユニットにおいて第１の上り制御情報を伝送するように構成され、前記第１の上り制御情報が前記第１のＨＡＲＱ情報を含み、ここで、前記第１の上り時間ユニットと前記第１の下り時間ユニットとの時間距離が前記第１の時系列の値以上である。
【００９６】
任意選択で、前記第１の下り時間ユニットが第１の下り伝送機会における時間ユニットであり、前記第１の上り時間ユニットが第１の上り伝送機会における時間ユニットであり、前記第１の上り伝送機会が前記第１の下り伝送機会よりも遅い。
【００９７】
ある実施例において、前記装置は、さらに、受信ユニット５０３を含み、
受信ユニット５０３は、第２の下り時間ユニットにおいて第１の情報を受信するように構成され、前記第１の情報が第２の時系列の値を決定するために使用され、前記第２の時系列の値が前記第１の上り時間ユニットと基準時間ユニットとの時間距離であり、ここで、
前記基準時間ユニットと前記第２の下り時間ユニットとが同じ時間ユニットであり、又は、
前記基準時間ユニットが前記第１の下り伝送機会における最後の下り時間ユニットであり、又は、
前記基準時間ユニットが前記第１の上り伝送機会における１番目の上り時間ユニットである。
【００９８】
ある実施例において、前記第１の時系列の値と前記第２の時系列の値との差が第１の値であり、前記第１の下り時間ユニットと前記基準時間ユニットとの時間距離が前記第１の値以上である。
【００９９】
ある実施例において、前記第１の時系列の値は、前記第１の下りデータチャネルにより伝送される第１の下り制御情報をスケジューリングすることにより得られる。
【０１００】
ある実施例において、前記第１の上り制御情報が第２のＨＡＲＱ情報をさらに含み、ここで、前記第２のＨＡＲＱ情報は、前記端末デバイスが第３の下り時間ユニットにおいて受信した第２の下りデータチャネルに対応するＨＡＲＱ情報であり、前記第２の下りデータチャネルが第３の時系列の値に対応し、前記第３の下り時間ユニットが前記第１の下り伝送機会における時間ユニットであり、前記第１の上り時間ユニットと前記第３の下り時間ユニットとの時間距離が前記第３の時系列の値以上である。
【０１０１】
ある実施例において、前記装置は、さらに、第２の伝送ユニット５０４を含み、
第２の伝送ユニット５０４は、第２の上り時間ユニットにおいて前記第１の上り制御情報を伝送するように構成され、前記第２の上り時間ユニットが前記第１の上り時間ユニットよりも遅い。
【０１０２】
ある実施例において、前記第２の上り時間ユニットが前記第１の上り伝送機会における時間ユニットであり、又は、
前記第２の上り時間ユニットが第２の上り伝送機会における時間ユニットである。
【０１０３】
ある実施例において、前記決定ユニット５０１は、さらに、第３のＨＡＲＱ情報を決定するように構成され、前記第３のＨＡＲＱ情報は、前記端末デバイスが第４の下り時間ユニットにおいて受信した第３の下りデータチャネルに対応するＨＡＲＱ情報であり、前記第３の下りデータチャネルが第４の時系列の値に対応し、前記第４の下り時間ユニットが前記第１の下り伝送機会における時間ユニットであり、前記第４の下り時間ユニットと前記基準時間ユニットとの時間距離が前記第１の値よりも小さく、
前記装置は、さらに、第３の伝送ユニット５０５を含み、第３の伝送ユニット５０５は、第３の上り時間ユニットにおいて第２の上り制御情報を伝送するように構成され、前記第２の上り制御情報が前記第３のＨＡＲＱ情報を含み、前記第３の上り時間ユニットと前記第４の下り時間ユニットとの時間距離が前記第４の時系列の値以上である。
【０１０４】
ある実施例において、前記第３の上り時間ユニットが前記第１の上り伝送機会における時間ユニットであり、又は、
前記第３の上り時間ユニットが第３の上り伝送機会における時間ユニットである。
【０１０５】
図５に示すＨＡＲＱ情報の伝送装置における各ユニットの実現機能は、上述したＨＡＲＱ情報の伝送方法に関する説明を参酌して理解され得る。図５に示すＨＡＲＱ情報の伝送装置における各ユニットの機能は、プロセッサ上で動作するプログラムによって実現されてもよいし、具体的な論理回路によって実現されてもよい。なお、図５に示す第１の伝送ユニット５０２、第２の伝送ユニット５０４、及び第３の伝送ユニット５０５は、同一の伝送部であってもよいし、異なる伝送部であってもよく、本発明は限定されない。
【０１０６】
図６は本発明の実施例におけるＨＡＲＱ情報の伝送装置の構成図二であり、本発明の実施例において、図６に示すように、前記ＨＡＲＱ情報の伝送装置は、第１の受信ユニット６０１及び決定ユニット６０２を含み、
第１の受信ユニット６０１は、第１の上り時間ユニットにおいて端末デバイスにより送信された第１の上り制御情報を受信するように構成され、前記第１の上り制御情報が第１のハイブリッド自動再送要求ＨＡＲＱ情報を含み、ここで、前記第１のＨＡＲＱ情報は、前記端末デバイスが第１の下り時間ユニットにおいて受信した第１の下りデータチャネルに対応するＨＡＲＱ情報であり、前記第１の下りデータチャネルが第１の時系列の値に対応し、前記第１の上り時間ユニットと前記第１の下り時間ユニットとの時間距離が前記第１の時系列の値以上であり、
決定ユニット６０２は、前記第１の上り制御情報に基づいて前記第１のＨＡＲＱ情報を決定するように構成される。
【０１０７】
任意選択で、前記第１の下り時間ユニットが第１の下り伝送機会における時間ユニットであり、前記第１の上り時間ユニットが第１の上り伝送機会における時間ユニットであり、前記第１の上り伝送機会が前記第１の下り伝送機会よりも遅い。
【０１０８】
ある実施例において、前記装置は、さらに、第１の送信ユニット６０３を含み、
第１の送信ユニット６０３は、第２の下り時間ユニットにおいて第１の情報を送信するように構成され、前記第１の情報は、前記端末デバイスが第２の時系列の値を決定するために使用され、前記第２の時系列の値が前記第１の上り時間ユニットと基準時間ユニットとの時間距離であり、ここで、
前記基準時間ユニットと前記第２の下り時間ユニットとが同じ時間ユニットであり、又は、
前記基準時間ユニットが前記第１の下り伝送機会における最後の下り時間ユニットであり、又は、
前記基準時間ユニットが前記第１の上り伝送機会における１番目の上り時間ユニットである。
【０１０９】
ある実施例において、前記第１の時系列の値と前記第２の時系列の値との差が第１の値であり、前記第１の下り時間ユニットと前記基準時間ユニットとの時間距離が前記第１の値以上である。
【０１１０】
ある実施例において、前記装置は、さらに、第２の送信ユニット６０４を含み、
第２の送信ユニット６０４は、第１の下り制御情報を送信するように構成され、前記第１の下り制御情報が前記第１の下りデータチャネルをスケジューリングするために使用され、前記第１の下り制御情報は、さらに、前記端末デバイスが前記第１の時系列の値を決定するために使用される。
【０１１１】
ある実施例において、前記第１の上り制御情報が第２のＨＡＲＱ情報をさらに含み、ここで、前記第２のＨＡＲＱ情報は、前記端末デバイスが第３の下り時間ユニットにおいて受信した第２の下りデータチャネルに対応するＨＡＲＱ情報であり、前記第２の下りデータチャネルが第３の時系列の値に対応し、前記第３の下り時間ユニットが前記第１の下り伝送機会における時間ユニットであり、前記第１の上り時間ユニットと前記第３の下り時間ユニットとの時間距離が前記第３の時系列の値以上であり、
前記決定ユニット６０２は、前記第１の上り制御情報に基づいて前記第２のＨＡＲＱ情報を決定するように構成される。
【０１１２】
ある実施例において、前記装置は、さらに、第２の受信ユニット６０５を含み、
第２の受信ユニット６０５は、第２の上り時間ユニットにおいて前記端末デバイスにより送信された前記第１の上り制御情報を受信するように構成され、前記第２の上り時間ユニットが前記第１の上り時間ユニットよりも遅い。
【０１１３】
ある実施例において、前記第２の上り時間ユニットが前記第１の上り伝送機会における時間ユニットであり、又は、
前記第２の上り時間ユニットが第２の上り伝送機会における時間ユニットである。
【０１１４】
ある実施例において、前記装置は、さらに、第３の受信ユニット６０６を含み、
第３の受信ユニット６０６は、第３の上り時間ユニットにおいて前記端末デバイスにより送信された第２の上り制御情報を受信するように構成され、前記第２の上り制御情報が第３のＨＡＲＱ情報を含み、ここで、前記第３のＨＡＲＱ情報は、前記端末デバイスが第４の下り時間ユニットにおいて受信した第３の下りデータチャネルに対応するＨＡＲＱ情報であり、前記第３の下りデータチャネルが第４の時系列の値に対応し、前記第４の下り時間ユニットが前記第１の下り伝送機会における時間ユニットであり、前記第４の下り時間ユニットと前記基準時間ユニットとの時間距離が前記第１の値よりも小さく、前記第３の上り時間ユニットと前記第４の下り時間ユニットとの時間距離が前記第４の時系列の値以上であり、
前記決定ユニット６０２は、さらに、前記第２の上り制御情報に基づいて前記第３のＨＡＲＱ情報を決定するように構成される。
【０１１５】
ある実施例において、前記第３の上り時間ユニットが前記第１の上り伝送機会における時間ユニットであり、又は、
前記第３の上り時間ユニットが第３の上り伝送機会における時間ユニットである。
【０１１６】
なお、図６に示すＨＡＲＱ情報の伝送装置における各ユニットの実現機能は、上述したＨＡＲＱ情報の伝送方法に関する説明を参照し得る。図６に示すＨＡＲＱ情報の伝送装置における各ユニットの機能は、プロセッサ上で動作するプログラムによって実現されてもよいし、具体的な論理回路によって実現されてもよい。なお、図６に示す第１の受信ユニット６０１、第２の受信ユニット６０５、第３の受信ユニット６０６は、同一の受信ユニットであってもよいし、異なる受信ユニットであってもよく、図６に示す第１の送信ユニット６０３と第２の送信ユニット６０４は、同一の送信ユニットであってもよいし、異なる送信ユニットであってもよく、本発明はこれに限定されない。
【０１１７】
また、上述した本発明の実施形態に係るＨＡＲＱ情報の伝送装置は、ソフトウェア機能モジュールとして実現され、独立した製品として販売又は使用される場合には、コンピュータ読み取り可能な記憶媒体に記憶されていてもよい。このような理解に基づいて、本発明の実施形態の技術的解決策の本質または従来技術に寄与する部分は、本発明の様々な実施形態による方法の全てまたは一部を１つのコンピュータデバイス(パーソナルコンピュータ、サーバ、またはネットワークデバイスなどであり得る)に実行させるための複数の命令を含む１つの記憶媒体に記憶されたソフトウェア製品の形態で具現化され得る。また、前記記憶媒体としては、U字ディスク、リムーバブルハードディスク、リードオンリーメモリ( ＲＯＭ、Ｒｅａｄ Ｏｎｌｙ Ｍｅｍｏｒｙ )、磁気ディスク、光ディスク等のプログラムコードを記憶できる種々の媒体を用いることができる。このように、本発明の実施形態は、ハードウェアとソフトウェアのいかなる組み合わせにも限定されない。
【０１１８】
したがって、本発明の実施例は、プロセッサによって実行されたときに、本発明の実施例による上記ＨＡＲＱ情報の伝送方法を実現するコンピュータ実行可能命令を記憶したコンピュータ記憶媒体をさらに提供する。
【０１１９】
図７は、本発明の実施例に係るコンピュータデバイスの構成を示す図であり、このコンピュータデバイスは、端末デバイスであってもネットワークデバイスであってもよい。図７に示すように、コンピュータデバイス１００は、１つ又は複数の(図面には１つのみが示される)プロセッサ１００２ (プロセッサ１００２は、マイクロプロセッサ( ＭＣＵ、Ｍｉｃｒｏ Ｃｏｎｔｒｏｌｌｅｒ Ｕｎｉｔ )又はプログラマブルロジックデバイス( ＦＰＧＡ、Ｆｉｅｌｄ Ｐｒｏｇｒａｍｍａｂｌｅ Ｇａｔｅ Ａｒｒａｙ )などの処理装置を含み得るが、これらに限定されない)、データを記憶するためのメモリ１００４、及び通信機能のための伝送装置１００６を含むことができる。図７に示す構成は、例示であり、上述した電子装置の構成に限定されないことは、当業者に理解されるところである。例えば、コンピュータ装置１００は、図７に示されるよりも多いか少ない構成要素をさらに含んでもよく、又は図７に示されるものとは異なる構成を有してもよい。
【０１２０】
メモリ１００４は、本発明の実施形態における方法に対応するプログラム命令/モジュールのような、アプリケーションのソフトウェアプログラム及びモジュールを格納するために使用されてもよく、プロセッサ１００２は、メモリ１００４に格納されたソフトウェアプログラム及びモジュールを実行することによって、様々な機能アプリケーション及びデータ処理を実行し、すなわち、上記の方法を実現する。メモリ１００４は、高速ランダムアクセスメモリを含んでもよく、１つ以上の磁気記憶デバイス、フラッシュメモリ、または他の不揮発性ソリッドステートメモリなどの不揮発性メモリを含んでもよい。いくつかの例では、メモリ１００４は、プロセッサ１００２に対してリモートに配置されたメモリをさらに含んでもよく、メモリは、ネットワークを介してコンピュータデバイス１００に接続されてもよい。上記ネットワークの例としては、インターネット、イントラネット、ローカルエリアネットワーク、移動体通信ネットワーク、及びこれらの組み合わせが挙げられるが、これらに限定されない。
【０１２１】
伝送装置１００６は、ネットワークを介してデータを送受信するための装置である。上記のネットワークの具体例は、コンピュータデバイス１００の通信プロバイダが提供する無線ネットワークを含んでもよい。一例において、伝送装置１００６は、インターネットと通信可能に基地局を介して他のネットワークデバイスに接続可能なネットワークアダプタ( ＮＩＣ、Ｎｅｔｗｏｒｋ Ｉｎｔｅｒｆａｃｅ Ｃｏｎｔｒｏｌｌｅｒ )を含む。一例では、伝送装置１００６は、無線方式でインターネットと通信するための無線周波数( ＲＦ、Ｒａｄｉｏ Ｆｒｅｑｕｅｎｃｙ )モジュールであり得る。
【０１２２】
本発明の実施例に記載した技術的手段は、矛盾なき限り、任意に組み合わせることができる。
【０１２３】
本発明によって提供されるいくつかの実施形態において、開示される方法およびスマートデバイスは、他の方法で実現されてもよいことが理解されるべきである。なお、以上の装置の実施形態はあくまでも一例であり、例えば、装置の分割、論理的機能の分割などは、実際の実施に際しては、これら複数の装置や構成要素を組み合わせたり、他のシステムに統合したり、あるいは、一部の構成要素を省略したり、省略したりすることが可能である。さらに、図示又は説明された構成要素は、電気的、機械的、又は他の形態の、いくつかのインターフェース、装置又はユニットを介した、互いに、又は直接的に、又は通信的に、間接的な結合又は通信的な接続を有し得る。
【０１２４】
上記分離手段として説明したユニットは、物理的に分離していても、あるいは分離していなくてもよく、ユニットとして表示されるユニットは、物理的ユニットであっても、あるいは物理的ユニットでなくてもよく、すなわち一箇所にあっても、複数のネットワークユニットに分散していてもよくまた、本実施形態の目的を達成する手段の一部又は全部を、必要に応じて選択することができる。
【０１２５】
また、本発明の各実施例における各機能部は、全てが１つの第２の処理部に集積されてもよいし、各部がそれぞれ単独で１つのユニットとして構成されてもよいし、２つ以上のユニットが１つのユニットに集積されてもよい；上記の統合されたユニットは、ハードウェアの形態で実現されてもよいし、ハードウェア及びソフトウェア機能ユニットの形態で実現されてもよい。
【０１２６】
以上、本発明の具体的な実施形態について説明したが、本発明の技術的範囲はこれに限定されるものではなく、本発明が属する技術分野で通常の知識を有する者であれば、本発明の技術的範囲内で容易に変更や置換をなし得ることは自明である。
【図１】
2021516896.tif 000004
【図２】
2021516896.tif 000005
【図３】
2021516896.tif 000006
【図４】
2021516896.tif 000007
【図５】
2021516896.tif 000008
【図６】
2021516896.tif 000009
【図７】
2021516896.tif 000010
【手続補正書】
【提出日】令和3年1月14日(2021.1.14)
【手続補正１】
【補正対象書類名】明細書
【補正対象項目名】全文
【補正方法】変更
【補正の内容】
【発明の詳細な説明】
【技術分野】
【０００１】
本発明は、無線通信技術分野に関し、特に、ハイブリッド自動再送要求（ＨＡＲＱ、Ｈｙｂｒｉｄ Ａｕｔｏｍａｔｉｃ Ｒｅｐｅａｔ ｒｅＱｕｅｓｔ）情報の伝送方法、装置及びコンピュータ記憶媒体に関する。
【背景技術】
【０００２】
無線通信技術の発展に伴い、ロングタームエボリューション( ＬＴＥ、Ｌｏｎｇ Ｔｅｒｍ Ｅｖｏｌｕｔｉｏｎ )システムに基づく免許補助アクセスシステム( ＬＡＡ−ＬＴＥ、Ｌｉｃｅｎｓｅｄ−Ａｓｓｉｓｔｅｄ Ａｃｃｅｓｓ−Ｌｏｎｇ Ｔｅｒｍ Ｅｖｏｌｕｔioｎ )は、キャリアアグリゲーション構造に基づいて、免許スペクトル上のキャリアを一次キャリアとし、免許不要スペクトル上のキャリアが二次キャリアとして端末デバイスにサービスを提供する。新規ラジオ( ＮＲ、Ｎｅｗ Ｒａｄｉｏ )システムが免許不要スペクトルに適用される場合、免許補助アクセス( ＬＡＡ )ネットワーク構成をサポートするとともに、独立( ＳＡ、Ｓｔａｎｄａｌｏｎｅ )ネットワーク構成もサポートされるため、免許不要スペクトル上での物理上りリンク制御チャネル( ＰＵＣＣＨ、Ｐｈｙｓｉｃａｌ Ｕｐｌｉｎｋ Ｃｏｎｔｒｏｌ ＣＨａｎｎｅｌ )の伝送を考慮する必要がある。
【０００３】
ＮＲシステムにおいて、ＰＵＣＣＨは、表１に示すように、複数のフォーマットを含み、各フォーマットのＰＵＣＣＨは、複数のシンボル長を含む。
【表１】
2021516896.tif 000011
【０００４】
ネットワークデバイスは、１つの端末デバイスに対してＰＵＣＣＨフォーマット０、１、２、３、４のうちの１つ以上を構成することができる。ここで、１つのＰＵＣＣＨリソース（ｒｅｓｏｕｒｃｅ）の構成情報には、少なくとも該ＰＵＣＣＨの開始シンボルの位置と該ＰＵＣＣＨに含まれるシンボルの個数とが含まれる。具体的には、ＰＵＣＣＨフォーマット０および２に対して、対応するＰＵＣＣＨに含まれるシンボルの個数が１または２であり、ＰＵＣＣＨフォーマット１、３、４の場合、対応するＰＵＣＣＨに含まれるシンボルの個数は４〜１４のいずれかである。
【０００５】
ネットワークデバイスは、下り制御情報( ＤＣＩ、Ｄｏｗｎｌｉｎｋ Ｃｏｎｔｒｏｌ Ｉｎｆｏｒｍａｔｉｏｎ )によって端末デバイスのＰＵＣＣＨリソースの時間領域位置を動的に示し、たとえば、ＤＣＩにおけるＰＤＳＣＨ−ＨＡＲＱ指示情報(物理下り共有チャネルＰＤＳＣＨ、Ｐｈｙｓｉｃａｌ Ｄｏｗｎｌｉｎｋ Ｓｈａｒｅｄ ＣＨａｎｎｅｌ-ハイブリッド自動再送要求ＨＡＲＱ、Ｈｙｂｒｉｄ Ａｕｔｏｍａｔｉｃ Ｒｅｐｅａｔ ｒｅＱｕｅｓｔのフィードバック時間指示情報)によって決定する。図１に示されるように、ＤＣＩは、図１に示される物理下り制御チャネル( ＰＤＣＣＨ、Ｐｈｙｓｉｃａｌ Ｄｏｗｎｌｉｎｋ Ｃｏｎｔｒｏｌ ＣＨａｎｎｅｌ )において搬送されることが理解される。例えば、ネットワークデバイスは、時間ユニット＃０においてＰＤＣＣＨを介してＰＤＳＣＨ伝送をスケジューリングし、このＰＤＣＣＨにおいて、このＰＤＳＣＨが対応する上りフィードバックのＰＤＳＣＨ-ＨＡＲＱのフィードバック時間ｎ＋ｋにおけるｋ = ５であること示し、図１において、ＰＤＣＣＨとＰＤＳＣＨが同じ時間ユニット上にあると仮定する。端末デバイスは、ｎ番目の時間ユニットでＰＤＳＣＨを受信した後、ｎ＋５番目の時間ユニットにおいてこのＰＤＳＣＨに対応するＨＡＲＱ情報をフィードバックし、すなわち、図１の時間ユニット＃５でＰＵＣＣＨを伝送し、このＰＵＣＣＨでは、時間ユニット＃０でＰＤＳＣＨに対応するＨＡＲＱ情報を搬送する。
【０００６】
端末デバイスは、信号を送信する前に、空きチャネル評価( ＣＣＡ、Ｃｌｅａｒ Ｃｈａｎｎｅｌ Ａｓｓｅｓｓｍｅｎｔ )によって免許不要スペクトル上のチャネルを検出する必要があり、チャネルが空っている場合にＰＵＣＣＨを送信することができ、そうでなければ送信できない。固定されたＰＤＳＣＨ−ＨＡＲＱフィードバック時間が使用される場合、ＰＤＳＣＨ−ＨＡＲＱフィードバック時間に従って決定されたＰＵＣＣＨリソースの比較的分散をもたらし、ネットワークデバイスの上りスケジューリングに影響を与える。
【発明の概要】
【０００７】
本発明の実施例は、上記の課題を解決するために、ハイブリッド自動再送要求ＨＡＲＱ情報の伝送方法、装置及びコンピュータ記憶媒体を提供する。
【０００８】
第１の態様は、ＨＡＲＱ情報の伝送方法を提供し、
端末デバイスが第１のＨＡＲＱ情報を決定し、前記第１のＨＡＲＱ情報は、前記端末デバイスが第１の下り時間ユニットにおいて受信した第１の下りデータチャネルに対応するＨＡＲＱ情報であり、前記第１の下りデータチャネルが第１の時系列の値に対応し、
前記端末デバイスが第１の上り時間ユニットにおいて第１の上り制御情報を伝送し、前記第１の上り制御情報が前記第１のＨＡＲＱ情報を含み、ここで、前記第１の上り時間ユニットと前記第１の下り時間ユニットとの時間距離が前記第１の時系列の値以上である。
【０００９】
任意選択で、前記第１の下り時間ユニットが第１の下り伝送機会における時間ユニットであり、前記第１の上り時間ユニットが第１の上り伝送機会における時間ユニットであり、前記第１の上り伝送機会が前記第１の下り伝送機会よりも遅い。
【００１０】
選択可能な実施例において、前記方法は、さらに、
前記端末デバイスが第２の下り時間ユニットにおいて第１の情報を受信することを含み、前記第１の情報が第２の時系列の値を決定するために使用され、前記第２の時系列の値が前記第１の上り時間ユニットと基準時間ユニットとの時間距離であり、ここで、
前記基準時間ユニットと前記第２の下り時間ユニットとが同じ時間ユニットであり、又は、
前記基準時間ユニットが前記第１の下り伝送機会における最後の下り時間ユニットであり、又は、
前記基準時間ユニットが前記第１の上り伝送機会における１番目の上り時間ユニットである。
【００１１】
選択可能な実施例において、前記第１の時系列の値と前記第２の時系列の値との差が第１の値であり、前記第１の下り時間ユニットと前記基準時間ユニットとの時間距離が前記第１の値以上である。
【００１２】
選択可能な実施例において、前記第１の時系列の値は、前記第１の下りデータチャネルにより伝送される第１の下り制御情報をスケジューリングすることにより得られる。
【００１３】
選択可能な実施例において、前記第１の上り制御情報が第２のＨＡＲＱ情報をさらに含み、ここで、前記第２のＨＡＲＱ情報は、前記端末デバイスが第３の下り時間ユニットにおいて受信した第２の下りデータチャネルに対応するＨＡＲＱ情報であり、前記第２の下りデータチャネルが第３の時系列の値に対応し、前記第３の下り時間ユニットが前記第１の下り伝送機会における時間ユニットであり、前記第１の上り時間ユニットと前記第３の下り時間ユニットとの時間距離が前記第３の時系列の値以上である。
【００１４】
なお、時系列の値に基づいて少なくとも２つのＨＡＲＱ情報が少なくとも２つの異なる時間ユニットで伝送されることを決定する場合(例えば、第１のＨＡＲＱ情報が第１の時系列の値に基づいて第１の時間ユニットで伝送され、第２のＨＡＲＱ情報が第３の時系列の値に基づいて第２の時間ユニットで送信される)、少なくとも２つのＨＡＲＱ情報を同じ時間ユニットで送信することで、ネットワークデバイスが、上りフィードバック情報を伝送するための時間ユニットをより集中的に割り当てることを可能にし、それによって、免許不要キャリア上の上下リソース割り当てをより柔軟に決定することができる。
【００１５】
選択可能な実施例において、前記方法は、さらに、
前記端末デバイスが第２の上り時間ユニットにおいて前記第１の上り制御情報を伝送することを含み、前記第２の上り時間ユニットが前記第１の上り時間ユニットよりも遅い。
【００１６】
なお、少なくとも２つの上り時間ユニット（例えば、第１の上り時間ユニット及び第２の上り時間ユニット）を使用して第１の上り制御情報を伝送することで、第１の上り制御情報の正確な伝送確率を増加させ、それによって通信リンクの性能を保証することができる。
【００１７】
選択可能な実施例において、前記第２の上り時間ユニットが前記第１の上り伝送機会における時間ユニットであり、又は、
前記第２の上り時間ユニットが第２の上り伝送機会における時間ユニットである。
【００１８】
選択可能な実施例において、前記方法は、さらに、
前記端末デバイスが第３のＨＡＲＱ情報を決定し、前記第３のＨＡＲＱ情報は、前記端末デバイスが第４の下り時間ユニットにおいて受信した第３の下りデータチャネルに対応するＨＡＲＱ情報であり、前記第３の下りデータチャネルが第４の時系列の値に対応し、前記第４の下り時間ユニットが前記第１の下り伝送機会における時間ユニットであり、前記第４の下り時間ユニットと前記基準時間ユニットとの時間距離が前記第１の値よりも小さいことと、
前記端末デバイスが第３の上り時間ユニットにおいて第２の上り制御情報を伝送し、前記第２の上り制御情報が前記第３のＨＡＲＱ情報を含み、前記第３の上り時間ユニットと前記第４の下り時間ユニットとの時間距離が前記第４の時系列の値以上であることとを含む。
【００１９】
選択可能な実施例において、前記第３の上り時間ユニットが前記第１の上り伝送機会における時間ユニットであり、又は、
前記第３の上り時間ユニットが第３の上り伝送機会における時間ユニットである。
【００２０】
第２の態様は、ＨＡＲＱ情報の伝送方法を提供し、
ネットワークデバイスが第１の上り時間ユニットにおいて端末デバイスにより送信された第１の上り制御情報を受信し、前記第１の上り制御情報が第１のハイブリッド自動再送要求ＨＡＲＱ情報を含み、ここで、前記第１のＨＡＲＱ情報は、前記端末デバイスが第１の下り時間ユニットにおいて受信した第１の下りデータチャネルに対応するＨＡＲＱ情報であり、前記第１の下りデータチャネルが第１の時系列の値に対応し、前記第１の上り時間ユニットと前記第１の下り時間ユニットとの時間距離が前記第１の時系列の値以上であり、
前記ネットワークデバイスが前記第１の上り制御情報に基づいて前記第１のＨＡＲＱ情報を決定する。
【００２１】
任意選択で、前記第１の下り時間ユニットが第１の下り伝送機会における時間ユニットであり、前記第１の上り時間ユニットが第１の上り伝送機会における時間ユニットであり、前記第１の上り伝送機会が前記第１の下り伝送機会よりも遅い。
【００２２】
選択可能な実施例において、前記方法は、さらに、
前記ネットワークデバイスが第２の下り時間ユニットにおいて第１の情報を送信し、前記第１の情報は、前記端末デバイスが第２の時系列の値を決定するために使用され、前記第２の時系列の値が前記第１の上り時間ユニットと基準時間ユニットとの時間距離であり、ここで、
前記基準時間ユニットと前記第２の下り時間ユニットとが同じ時間ユニットであり、又は、
前記基準時間ユニットが前記第１の下り伝送機会における最後の下り時間ユニットであり、又は、
前記基準時間ユニットが前記第１の上り伝送機会における１番目の上り時間ユニットである。
【００２３】
選択可能な実施例において、前記第１の時系列の値と前記第２の時系列の値との差が第１の値であり、前記第１の下り時間ユニットと前記基準時間ユニットとの時間距離が前記第１の値以上である。
【００２４】
選択可能な実施例において、前記方法は、さらに、
前記ネットワークデバイスが第１の下り制御情報を送信し、前記第１の下り制御情報が前記第１の下りデータチャネルをスケジューリングするために使用され、前記第１の下り制御情報は、さらに、前記端末デバイスが前記第１の時系列の値を決定するために使用される。
【００２５】
選択可能な実施例において、前記第１の上り制御情報が第２のＨＡＲＱ情報をさらに含み、ここで、前記第２のＨＡＲＱ情報は、前記端末デバイスが第３の下り時間ユニットにおいて受信した第２の下りデータチャネルに対応するＨＡＲＱ情報であり、前記第２の下りデータチャネルが第３の時系列の値に対応し、前記第３の下り時間ユニットが前記第１の下り伝送機会における時間ユニットであり、前記第１の上り時間ユニットと前記第３の下り時間ユニットとの時間距離が前記第３の時系列の値以上であり、
前記ネットワークデバイスが前記第１の上り制御情報に基づいて前記第２のＨＡＲＱ情報を決定する。
【００２６】
選択可能な実施例において、前記方法は、さらに、
前記ネットワークデバイスが第２の上り時間ユニットにおいて前記端末デバイスにより送信された前記第１の上り制御情報を受信し、前記第２の上り時間ユニットが前記第１の上り時間ユニットよりも遅いことを含む。
【００２７】
なお、少なくとも２つの上り時間ユニット（例えば、第１の上り時間ユニット及び第２の上り時間ユニット）を使用して第１の上り制御情報を伝送することで、第１の上り制御情報の正確な伝送確率を増加させ、それによって通信リンクの性能を保証するができる。
【００２８】
選択可能な実施例において、前記第２の上り時間ユニットが前記第１の上り伝送機会における時間ユニットであり、又は、
前記第２の上り時間ユニットが第２の上り伝送機会における時間ユニットである。
【００２９】
選択可能な実施例において、前記方法は、さらに、
前記ネットワークデバイスが第３の上り時間ユニットにおいて前記端末デバイスにより送信された第２の上り制御情報を受信し、前記第２の上り制御情報が第３のＨＡＲＱ情報を含み、ここで、前記第３のＨＡＲＱ情報は、前記端末デバイスが第４の下り時間ユニットにおいて受信した第３の下りデータチャネルに対応するＨＡＲＱ情報であり、前記第３の下りデータチャネルが第４の時系列の値に対応し、前記第４の下り時間ユニットが前記第１の下り伝送機会における時間ユニットであり、前記第４の下り時間ユニットと前記基準時間ユニットとの時間距離が前記第１の値よりも小さく、前記第３の上り時間ユニットと前記第４の下り時間ユニットとの時間距離が前記第４の時系列の値以上であり、
前記ネットワークデバイスが前記第２の上り制御情報に基づいて前記第３のＨＡＲＱ情報を決定することを含む。
【００３０】
選択可能な実施例において、前記第３の上り時間ユニットが前記第１の上り伝送機会における時間ユニットであり、又は、
前記第３の上り時間ユニットが第３の上り伝送機会における時間ユニットである。
【００３１】
第３の態様は、上述の第１の態様または第１の態様の可能な実装のいずれかにおける方法を実行するための情報伝送装置を提供する。具体的には、装置は、上記の第１の態様または第１の態様の任意の可能な実施態様における方法を実行するためのユニットを含む。
【００３２】
第４の態様は、上述の第２の態様または第２の態様の可能な実装のいずれかにおける方法を実行するための情報伝送装置を提供する。具体的には、装置は、上記の第２の態様または第２の態様の任意の可能な実施態様における方法を実行するためのユニットを含む。
【００３３】
第５の態様は、情報伝送デバイスを提供し、メモリと、プロセッサと、入力インタフェースと、出力インタフェースとを備える。ここで、メモリ、プロセッサ、入力インタフェース、出力インタフェースは、バスシステムを介して接続される。メモリは、命令を記憶するために使用され、プロセッサは、メモリに記憶された命令を実行して、第１の態様または第１の態様の任意の可能な実装形態において、方法を実行するために使用される。
【００３４】
第６の態様は、情報伝送デバイスを提供し、メモリと、プロセッサと、入力インタフェースと、出力インタフェースとを備える。ここで、メモリ、プロセッサ、入力インタフェース、出力インタフェースは、バスシステムを介して接続される。メモリは、命令を記憶するために使用され、プロセッサは、メモリに記憶された命令を実行して、第２の態様または第２の態様の任意の可能な実装形態において、方法を実行するために使用される。
【００３５】
第７の態様は、上記の第１の態様または第１の態様の可能な実装形態のいずれかを実行するための方法を実行するためのコンピュータソフトウェア命令を記憶するためのコンピュータ記憶媒体を提供し、上記の態様を実行するように設計されたプログラムを含む。
【００３６】
第８の態様は、上記の第２の態様または第２の態様の可能な実装形態のいずれかを実行するための方法を実行するためのコンピュータソフトウェア命令を記憶するためのコンピュータ記憶媒体を提供し、上記の態様を実行するように設計されたプログラムを含む。
【００３７】
第９の態様は、命令を備えるコンピュータプログラム製品を提供し、コンピュータ上で実行されると、コンピュータに、上述の第１の態様または第１の態様の任意の実施態様における方法を実行させる。
【００３８】
第１０の態様は、命令を備えるコンピュータプログラム製品を提供し、コンピュータ上で実行されると、コンピュータに、上述の第２の態様または第２の態様の任意の実施態様における方法を実行させる。
【００３９】
本発明の実施例に係る技術案において、端末デバイスが第１のハイブリッド自動再送要求ＨＡＲＱ情報を決定し、前記第１のＨＡＲＱ情報は、前記端末デバイスが第１の下り時間ユニットにおいて受信した第１の下りデータチャネルに対応するＨＡＲＱ情報であり、前記第１の下りデータチャネルが第１の時系列の値に対応し、前記第１の下り時間ユニットが第１の下り伝送機会における時間ユニットであり、
前記端末デバイスが第１の上り時間ユニットにおいて第１の上り制御情報を伝送し、前記第１の上り制御情報が前記第１のＨＡＲＱ情報を含み、ここで、前記第１の上り時間ユニットが第１の上り伝送機会における時間ユニットであり、前記第１の上り伝送機会が前記第１の下り伝送機会よりも遅く、前記第１の上り時間ユニットと前記第１の下り時間ユニットとの時間距離が前記第１の時系列の値以上である。本発明の実施例の技術案によれば、免許不要キャリア上で上り制御情報をフィードバックする場合、ＰＤＳＣＨ-ＨＡＲＱフィードバック時系列を満たす１以上の時間ユニット上のＰＤＳＣＨに対応するＨＡＲＱ情報を、上り制御情報を伝送する時間ユニット上で柔軟にフィードバックすることにより、ネットワークデバイスは、通信リンク全体の遅延と性能を保証するとともに、免許不要スペクトル上の上り下りリソースを柔軟に効率的に割り当てることができる。
【図面の簡単な説明】
【００４０】
本明細書に記載された図面は、本発明の更なる理解を提供するために提供されたものであり、本発明の一部を構成し、本発明の例示的な実施形態及びその説明は、本発明を説明するためのものであり、本発明を限定するものではない。
【図１】ＰＤＳＣＨ-ＨＡＲＱフィードバックの時間領域の模式図である。
【図２】本発明の実施例におけるＨＡＲＱ情報の伝送方法のフローチャート一である。
【図３】本発明の実施例におけるＨＡＲＱ情報の伝送方法のフローチャート二である。
【図４】本発明の実施例におけるＰＤＳＣＨ−ＨＡＲＱフィードバックの時間領域の模式図である。
【図５】本発明の実施例におけるＨＡＲＱ情報の伝送装置の構成図一である。
【図６】本発明の実施例におけるＨＡＲＱ情報の伝送装置の構成図二である。
【図７】本発明の実施例におけるコンピュータデバイスの構成図である。
【発明を実施するための形態】
【００４１】
以下、本発明の実施例に係る技術的解決手段の理解を容易にするために、本発明の実施例に係る技術的解決手段を説明する。
【００４２】
１）免許不要スペクトル
免許不要スペクトルは、国及び地域によって区分された、無線装置の通信に利用可能なスペクトルであり、通常、共有スペクトルと見なされ、すなわち、異なる通信システムにおける通信装置は、そのスペクトルに設定された国又は地域の法的要件を満たす限り、政府に専用のスペクトル免許を申請することなく、そのスペクトルを使用することができる。免許不要スペクトルを用いて無線通信を行う各通信システムが、そのスペクトル上で容易に共存できるようにするために、免許不要スペクトルを用いることが満たさなければならない法規要件が国や地域によって規定されている。例えば、欧州地域では、通信装置は、ＬＢＴ （Ｌｉｓｔｅｎ Ｂｅｆｏｒｅ Ｔａｌｋ )の原則に従い、即ち、通信装置が免許不要スペクトルのチャネル上で信号送信を行う前に、チャネルリッスンを行う必要があり、チャネルセンスの結果、チャネルが空っている場合にのみ、信号送信を行うことができ、通信装置は、免許不要周波数帯域のチャネルにおけるチャネルセンスの結果、チャネルがビジーである場合には、信号送信を行うことができない。１回の伝送で免許不要スペクトルのチャネルを使用して信号伝送を行う期間は、公平性を確保するために最大チャネル占有時間( ＭＣＯＴ、Ｍａｘｉｍｕｍ Ｃｈａｎｎｅｌ Ｏｃｃｕｐａｔｉｏｎ Ｔｉｍｅ )を超えることがない。また、例えば、免許不要スペクトルチャネル上で伝送される信号に対するサブバンド干渉を回避するため、また、免許不要スペクトルチャネルの検出における通信デバイスの検出精度を高めるために、免許不要スペクトルチャネル上で伝送される信号は、少なくともチャネル帯域幅の一定の割合を占める必要があり、例えば、５ＧＨｚ帯は、チャネル帯域幅を占める信号の８０％であり、６０ＧＨｚ帯は、チャネル帯域幅を占める信号の７０％である。また、例えば、免許不要スペクトルのチャネル上で伝送される信号の電力が大きすぎて、そのチャネル上の他の重要な信号、例えばレーダ信号などの送信に影響を与えることを避けるために、法規は、通信デバイスが免許不要スペクトルのチャネルを使用して信号を伝送するときの最大電力スペクトル密度を規定する。
【００４３】
２）ネットワークアーキテクチャ
本発明の実施形態は、ＧＳＭ （ Ｇｌｏｂａｌ Ｓｙｓｔｅｍ ｏｆ Ｍｏｂｉｌｅ ｃｏｍｍｕｎｉｃａｔｉｏｎ )システム、ＣＤＭＡシステム、ＷＣＤＭＡシステム、ＧＰＲＳ （ Ｇｅｎｅｒａｌ Ｐａｃｋｅｔ Ｒａｄｉｏ Ｓｅｒvice )システム、ＵＭＴＳ （ Ｕｎｉｖｅｒｓａｌ Ｍｏｂｉｌｅ Ｔｅｌｅｃｏｍｍｕｎｉｃａｔｉｏｎ Ｓｙｓｔｅｍ ）、ＬＴＥシステム、及びＬＴＥシステムのエボリューションシステム、例えばＬＴＥ−Ａ（ Ａｄｖａｎｃｅｄ ｌｏｎｇ ｔｅｒｍ ｅｖｏｌｕｔｉｏｎ )システム、ＮＲシステム、およびＮＲシステムのエボリューションシステム、例えば免許不要スペクトル上のＮＲ ( ＮＲ−Ｕ、ＮＲ−ｂａｓｅｄ ａｃｃｅｓｓ ｔｏ Ｕｎｌｉｃｅｎｓｅｄ ｓｐｅｃｔｒｕｍ )システム、または次世代通信システムなどの様々な通信システムに適用され得る。
【００４４】
通常、従来の通信システムがサポートする接続数は限られており、実現も容易であるが、通信技術の発展に伴い、モバイル通信システムは、従来の通信だけでなく、例えば、デバイスツーデバイス( Ｄ２Ｄ、Ｄｅｖｉｃｅ ｔｏ Ｄｅｖｉｃｅ )通信、マシンツーマシン( Ｍ２Ｍ、Ｍａｃｈｉｎｅ ｔｏ Ｍａｃｈｉｎｅ )通信、マシンタイプ通信( ＭＴＣ、Ｍａｃｈｉｎｅ Ｔｙｐｅ Ｃｏｍｍｕｎｉｃａｔｉｏｎ )、及び車両間通信( Ｖ２Ｖ、Ｖｅｈｉｃｌｅ ｔｏ Ｖｅｈｉｃｌｅ )もサポートする。
【００４５】
本発明の実施例に係る通信システムは、キャリアアグリゲーション( ＣＡ、Ｃａｒｒｉｅｒ Ａｇｇｒｅｇａｔｉｏｎ )シナリオに適用されてもよく、デュアルコネクティビティ( ＤＣ、Ｄｕａｌ Ｃｏｎｎｅｃｔｉｖｉｔｙ )シナリオに適用されてもよく、スタンドアロン( ＳＡ、Ｓｔａｎｄａｌｏｎｅ )ネットワーキングシナリオに適用されてもよい。
【００４６】
本発明は、ネットワークデバイス及び端末デバイスに関連して様々な実施形態を説明し、ここで、
端末デバイスは、ユーザ機器( ＵＥ、Ｕｓｅｒ Ｅｑｕｉｐｍｅｎｔ )、アクセス端末、ユーザ機器、ユーザ局、移動局、リモート端末、モバイル機器、ユーザ端末、無線通信機器、ユーザエージェント、またはユーザ装置とも呼ばれ得る。端末デバイスは、無線ローカルエリアネットワーク( ＷＬＡＮ、Ｗｉｒｅｌｅｓｓ Ｌｏｃａｌ Ａｒｅａ Ｎｅｔｗｏｒｋｓ )内のサイト（ ＳＴ、ＳＴＡＩＯＮ )であってもよく、セルラー電話、コードレス電話、セッション開始プロトコル( ＳＩＰ、Ｓｅｓｓｉｏｎ Ｉｎｉｔｉａｔｉｏｎ Ｐｒｏｔｏｃｏｌ )電話、無線ローカルループ( ＷＬＬ、Ｗｉｒｅｌｅｓｓ Ｌｏｃａｌ Ｌｏｏｐ )局、パーソナル・デジタル処理( ＰＤＡ、Ｐｅｒｓｏｎａｌ Ｄｉｇｉｔａｌ Ａｓｓｉｓｔａｎｔ )装置、無線通信機能を有するハンドヘルド装置、コンピューティング装置、または無線モデムに接続された他の処理装置、車載装置、ウェアラブル装置、および次世代通信システム、例えば、第５世代通信( ５Ｇ、ｆｉｆｔｈ ｇｅｎｅｒａｔｉｏｎ )ネットワーク内の端末デバイス、または将来進化するパブリック地上波モバイル・ネットワーク( ＰＬＭＮ、Ｐｕｂｌｉｃ Ｌａｎｄ Ｍｏｂｉｌｅ Ｎｅｔｗｏｒｋ )ネットワーク内の端末デバイスなどであってもよい。
【００４７】
限定ではなく例として、本発明の実施形態において、該端末デバイスはウェアラブル装置であってもよい。ウェアラブルデバイスは、ウェアラブルスマートデバイスとも呼ばれ、眼鏡、手袋、腕時計、衣類、及び靴などのウェアラブル技術を応用して日常の着用を知的に設計し、ウェアラブルなデバイスを開発する総称である。ウェアラブルデバイスは、直接身に着けるか、またはユーザの衣服またはアクセサリに一体化されたポータブルデバイスである。ウェアラブルデバイスは、ハードウェアデバイスの一種だけではなく、ソフトウェアサポートとデータ相互作用、クラウド相互作用によって、より強力な機能を実現する。広義のウェアラブルスマートデバイスは、スマートウォッチやスマートグラスなどの機能の全部または一部をスマートフォンに依存せずに実現することができる、大きく、かつ、スマートフォンに依存せずに実現することができる機能、および、例えば、様々な種類の身体監視のためにスマートフォンなどの他のデバイスとの協働を必要とする、ある種のアプリケーション機能にのみ焦点を当てるスマートリング、スマートアクセサリなどを含む。
【００４８】
ネットワークデバイスは、モバイルデバイスと通信するためのデバイスであってもよく、ネットワークデバイスは、ＷＬＡＮにおけるアクセスポイント( ＡＰ、Ａｃｃｅｓｓ Ｐｏｉｎｔ )、ＧＳＭ又はＣＤＭＡにおける基地局（ ＢＴＳ、Ｂａｓｅ Ｔｒａｎｓｃｅｉｖｅｒ Ｓｔａｔｉｏｎ )、ＷＣＤＭＡにおける基地局（ ＮＢ、ＮｏｄｅＢ ）であってもよく、ＬＴＥにおける発展型基地局（ ｅＮＢまたはｅＮｏｄｅＢ、Ｅｖｏｌｕｔｉｏｎａｌ Ｎｏｄｅ Ｂ )、中継局またはアクセスポイント、または車載デバイス、ウェアラブルデバイス、およびＮＲネットワークにおけるネットワークデバイス、または将来発展するＰＬＭＮネットワークにおけるネットワークデバイスなどであってもよい。
【００４９】
本発明の実施例において、ネットワークデバイスは、端末デバイスが使用する送信リソース(例えば、周波数領域リソース、又は、スペクトルリソース)によりネットワークデバイスと通信するセルを提供し、該セルは、ネットワークデバイス(例えば、基地局)に対応するセルであってよく、セルは、マクロ基地局に属してよく、又は、スモールセル( ｓｍａｌｌ ｃｅｌｌ )に対応する基地局に属してよく、ここで、スモールセルは、カバレッジが小さく、送信電力が低いという特徴を有する、高レートのデータ伝送サービスを提供するのに適した、都市セル( Ｍｅｔｒｏ ｃｅｌｌ )、マイクロセル( Ｍｉｃｒｏ ｃｅｌｌ )、ピコセル( Ｐｉｃｏ ｃｅｌｌ )、フェムトセル( Ｆｅｍｔｏ ｃｅｌｌ )等を含んでよい。
【００５０】
本発明の実施例において、ＬＴＥシステム又はＮＲシステムにおけるキャリア上で複数のセルが同時に同周波で動作してもよく、特定のシナリオでは、上記キャリアはセルの概念と等価であると考えられてもよい。例えば、ＣＡシナリオでは、二次キャリアがＵＥのために構成されるとき、二次キャリアのキャリアインデックスと二次キャリア上で動作する二次セルのセル識別情報( Ｃｅｌｌ ＩＤ、Ｃｅｌｌ Ｉｎｄｅｎｔｉｆｙ )とを同時に搬送することができ、この場合、キャリアは、UEが１つのキャリアにアクセスすること及び１つのセルにアクセスすることなど、セルの概念と等価であると考えられ得る。
【００５１】
なお、本発明の実施例による物理上り制御チャネル( ＰＵＣＣＨ、Ｐｈｙｓｉｃａｌ Ｕｐｌｉｎｋ Ｃｏｎｔｒｏｌ ＣＨａｎｎｅｌ )は、ＬＴＥシステムにおけるＰＵＣＣＨであってもよいし、ＮＲシステムにおけるＰＵＣＣＨであってもよいし、他のシステムにおける上り制御チャネルであってもよいし、本発明はこれに限定されない。
【００５２】
本発明の実施例において、上り制御情報は、ハイブリッド自動再送( ＨＡＲＱ、Ｈｙｂｒｉｄ Ａｕｔｏｍａｔｉｃ Ｒｅｐｅａｔ ｒｅＱｕｅｓｔ )情報、チャネル状態情報( ＣＳＩ、Ｃｈａｎｎｅｌ−Ｓｔａｔｅ Ｉｎｆｏｒｍａｔｉｏｎ )、スケジューリング要求( ＳＲ、Ｓｃｈｅｄｕｌｅ Ｒｅｑｕｅｓｔ )情報及びＵＥが送信する他の制御情報のうち少なくとも１つを含んでもよい。ここで、ＣＳＩ情報は、ランク指示( ＲＩ、Ｒａｎｋ Ｉｎｄｉｃａｔｏｒ )情報、プリコーディング指示( ＰＭＩ、Ｐｒｅｃｏｄｉｎｇ Ｍａｔｒｉｘ Ｉｎｄｉｃａｔｏｒ )情報、チャネル品質指示（ ＣＱＩ、Ｃｈａｎｎｅｌ Ｑｕａｌｉｔｙ Ｉｎｄｉｃａｔｏｒ )情報のうち少なくとも１つを含む。
【００５３】
本発明の実施例では、上り制御情報はＰＵＣＣＨで伝送されてもよいし、物理上り共有チャネル( ＰＵＳＣＨ、Ｐｈｙｓｉｃａｌ Ｕｐｌｉｎｋ Ｓｈａｒｅｄ ＣＨａｎｎｅｌ )で伝送されてもよいが、本発明はこれに限定されない。
【００５４】
任意選択で、本発明の実施例において、１回の下り伝送機会は、下り情報を伝送するための１つ又は複数の連続した時間ユニットとして定義されてもよく、同様に、１回の上り伝送機会は、上り情報を送信するための１つ又は複数の連続した時間ユニットとして定義されてもよい。
【００５５】
本発明の実施例において、１つの時間ユニットは、１つ又は複数のサブフレームとして定義されてもよいし、１つ又は複数のスロットとして定義されてもよいし、１つ又は複数のマイクロスロット又はシンボル等として定義されてもよい。１回の下り伝送機会又は１回の上り伝送機会の開始時間ユニット及び/又は終了時間ユニットは、完全な時間ユニットであってもよいし、部分的な時間ユニット等であってもよく、本発明の実施例はこれに限定されない。
【００５６】
任意選択で、本発明における時間ユニットは、完全な時間ユニットを指してもよいし、不完全な時間ユニットを指してもよい。例えば、１つの上り時間ユニットに対して、１つの時間ユニットにおける全てのシンボルが上り伝送に使用されることを意味してもよいし、１つの時間ユニットにおける一部のシンボルが上り伝送に使用されることを意味してもよく、本発明はこれに限定されない。
【００５７】
本発明の実施例の技術的解決策は、通信リンク全体の時間遅延及び性能を保証するために、ＮＲ−Ｕシステムにおいて柔軟性のあるＰＤＳＣＨ-ＨＡＲＱフィードバック時間(又は、時系列と呼ばれる)を導入する。
【００５８】
図２は本発明の実施例におけるＨＡＲＱ情報の伝送方法のフローチャート一であり、本発明の実施例において、図２に示すように、前記ＨＡＲＱ情報の伝送方法は、以下のステップを含み、
ステップ２０１において、端末デバイスが第１のＨＡＲＱ情報を決定し、前記第１のＨＡＲＱ情報は、前記端末デバイスが第１の下り時間ユニットにおいて受信した第１の下りデータチャネルに対応するＨＡＲＱ情報であり、前記第１の下りデータチャネルが第１の時系列の値に対応する。
【００５９】
任意選択で、前記第１の下り時間ユニットが第１の下り伝送機会における時間ユニットである。
【００６０】
任意選択で、前記第１の時系列の値は、前記端末デバイスのＨＡＲＱ処理能力により決定される。
【００６１】
任意選択で、前記第１の時系列の値は、前記第１の下りデータチャネル上で伝送されるサービスの優先度に従って決定される。
【００６２】
任意選択で、端末デバイスは、時間ユニット＃ｎにおいて、第１の下りデータチャネルを受信した後、この第１の下りデータチャネルの復調結果に基づいて第１のＨＡＲＱ情報を決定し、時間ユニット＃( ｎ＋ｋ )において、第１のＨＡＲＱ情報を最速にフィードバックすることができ、ｋが第１の下りデータチャネルに対応する第１の時系列の値である。
【００６３】
ステップ２０２において、前記端末デバイスが第１の上り時間ユニットにおいて第１の上り制御情報を伝送し、前記第１の上り制御情報が前記第１のＨＡＲＱ情報を含み、ここで、前記第１の上り時間ユニットと前記第１の下り時間ユニットとの時間距離が前記第１の時系列の値以上である。
【００６４】
任意選択で、前記第１の上り時間ユニットが第１の上り伝送機会における時間ユニットである。
【００６５】
任意選択で、前記第１の上り伝送機会が前記第１の下り伝送機会よりも遅い。
【００６６】
本願の実施例において、時間距離のユニットが時間ユニット、時系列の値の単位が時間ユニットであってもよい。時間距離を例とし、時間ユニット＃２と時間ユニット＃３との時間距離が１つの時間ユニットであり、時間ユニット＃５と時間ユニット＃８との時間距離が３つの時間ユニットである。時系列の値を例とし、時間ユニット＃５に伝送される下りデータチャネルに対応するＨＡＲＱ情報が時間ユニット＃８でフィードバックされる場合、時系列の値が３つの時間ユニットである。
【００６７】
図４を参照すると、ＰＤＳＣＨに対応する時系列の値をｋと示す。例えば、時間ユニット＃７におけるＰＤＳＣＨに対応する第１の時系列の値ｋ=６である。
【００６８】
ある実施例において、前記端末デバイスが第２の下り時間ユニットにおいて第１の情報を受信することを含み、前記第１の情報が第２の時系列の値を決定するために使用され、前記第２の時系列の値が前記第１の上り時間ユニットと基準時間ユニットとの時間距離であり、ここで、
前記基準時間ユニットと前記第２の下り時間ユニットとが同じ時間ユニットであり、又は、
前記基準時間ユニットが前記第１の下り伝送機会における最後の下り時間ユニットであり、又は、
前記基準時間ユニットが前記第１の上り伝送機会における１番目の上り時間ユニットである。
【００６９】
図４を参照すると、端末デバイスが時間ユニット＃３においてＰＤＣＣＨを受信し、該ＰＤＣＣＨが第１の情報を含み、前記第１の情報が第２の時系列の値ｍ（ここでｍ=３）を決定するために使用され、ｍの値と基準時間ユニットに基づいてＰＵＣＣＨ（即ち第１の上り時間ユニット）の位置を決定し、ここで、基準時間ユニットは、上記の前記基準時間ユニットと前記第２の下り時間ユニットとが同じ時間ユニットであり、又は、前記基準時間ユニットが前記第１の下り伝送機会における最後の下り時間ユニットであることを例とする。なお、基準時間ユニットは、上記の前記基準時間ユニットが前記第１の上り伝送機会における１番目の上り時間ユニットであることを例とする場合、基準時間ユニットが図４における時間ユニット＃４であり、第２の時系列の値ｍ=２である。
【００７０】
ある実施例において、前記第１の時系列の値（図４のｋ値）と前記第２の時系列の値（図４のｍ値）との差が第１の値であり、前記第１の上り時間ユニットと前記第１の下り時間ユニットとの時間距離が前記第１の時系列の値以上である場合、前記第１の下り時間ユニットと前記基準時間ユニットとの時間距離が前記第１の値以上である。
【００７１】
ある実施例において、前記第１の時系列の値は、前記第１の下りデータチャネルにより伝送される第１の下り制御情報をスケジューリングすることにより得られる。即ち、第１の下り制御情報で前記第１の下りデータチャネルをスケジューリングして伝送する場合、前記第１の下り制御情報において前記第１の下りデータチャネルに対応する第１の時系列の値を示す。
【００７２】
なお、前記第１の下り制御情報と前記第１の下りデータチャネルとは、同じ時間ユニットに位置してもよいし、異なる時間ユニットに位置してもよく、本発明がこれに限定されない。
【００７３】
ある実施例において、前記第１の上り制御情報が第２のＨＡＲＱ情報をさらに含み、ここで、前記第２のＨＡＲＱ情報は、前記端末デバイスが第３の下り時間ユニットにおいて受信した第２の下りデータチャネルに対応するＨＡＲＱ情報であり、前記第２の下りデータチャネルが第３の時系列の値に対応し、前記第３の下り時間ユニットが前記第１の下り伝送機会における時間ユニットであり、前記第１の上り時間ユニットと前記第３の下り時間ユニットとの時間距離が前記第３の時系列の値以上である。
【００７４】
図４を参照すると、各ＰＤＳＣＨが１つの時系列の値ｋに対応する。例えば、時間ユニット＃７（即ち第１の下り時間ユニット）におけるＰＤＳＣＨが対応する第１の時系列の値ｋ=６、対応するＨＡＲＱ情報が第１のＨＡＲＱ情報、時間ユニット＃２（即ち第３の下り時間ユニット）におけるＰＤＳＣＨが対応する第３の時系列の値ｋ=４、対応するＨＡＲＱ情報が第２のＨＡＲＱ情報である。第１のＨＡＲＱ情報と第２のＨＡＲＱ情報とのいずれも時間ユニット＃６（即ち第１の上り時間ユニット）におけるＰＵＣＣＨで伝送される。なお、第１のＨＡＲＱ情報と第２のＨＡＲＱ情報とは、ＰＵＳＣＨで伝送されてもよく、本発明がこれに限定されない。
【００７５】
ここで、前記第１の上り制御情報に少なくとも２つのＨＡＲＱ情報が含まれ、図４を参照すると、時間ユニットの番号が＃０〜＃９の繰り返し番号であり、免許不要スペクトルにおいて１回の下り伝送が７つの時間ユニットを含み、ここで、ＰＤＳＣＨが位置する時間ユニットが時間ユニット＃７、時間ユニット＃８、時間ユニット＃９、時間ユニット＃０、時間ユニット＃１、時間ユニット＃２、及び時間ユニット＃３の一部の時間ユニットを含み、なお、ＰＵＣＣＨ（即ち１番目のＰＵＣＣＨ）が時間ユニット＃６に位置し、ここで、時間ユニット＃７におけるＰＤＳＣＨが対応する時系列の値ｋ=６であり、時間ユニット＃８におけるＰＤＳＣＨが対応する時系列の値ｋ=６であり、時間ユニット＃９におけるＰＤＳＣＨが対応する時系列の値ｋ=６であり、時間ユニット＃０におけるＰＤＳＣＨが対応する時系列の値ｋ=８であり、時間ユニット＃１におけるＰＤＳＣＨが対応する時系列の値ｋ=８であり、時間ユニット＃２におけるＰＤＳＣＨが対応する時系列の値ｋ=４であり、時間ユニット＃３におけるＰＤＳＣＨが対応する時系列の値ｋ=２であり、このように、１）前記第１の上り時間ユニットと前記第１の下り時間ユニットとの時間距離が前記第１の時系列の値以上であること、又は２）前記第１の下り時間ユニットと前記基準時間ユニットとの時間距離が前記第１の値以上であることを満たす時間ユニットは、時間ユニット＃７、時間ユニット＃８、時間ユニット＃９、時間ユニット＃２、及び時間ユニット＃３を含み、したがって、時間ユニット＃６におけるＰＵＣＣＨが時間ユニット＃７、時間ユニット＃８、時間ユニット＃９、時間ユニット＃２、及び時間ユニット＃３におけるＰＤＳＣＨが対応するＨＡＲＱを伝送することができる。
【００７６】
ある実施例において、前記端末デバイスが第２の上り時間ユニットにおいて前記第１の上り制御情報を伝送することを含み、前記第２の上り時間ユニットが前記第１の上り時間ユニットよりも遅い。ここで、第１の上り制御情報は、複数の上り時間ユニットで繰り返して伝送されてもよい。前記第１の上り時間ユニットで前記第１の上り制御情報の伝送が失敗した場合、前記第１の上り時間ユニットの後の位置する前記第２の上り時間ユニットにおいて前記第１の上り制御情報を繰り返して伝送することで、前記第１の上り制御情報の送信確率を向上させることができる。
【００７７】
ある実施例において、前記第２の上り時間ユニットが前記第１の上り伝送機会における時間ユニットであり、又は、前記第２の上り時間ユニットが第２の上り伝送機会における時間ユニットである。即ち、前記第１の上り制御情報の繰り返し伝送に使用されるリソースは、前記第１の上り制御情報の１番目の伝送リソースとは、同じ上り伝送機会に位置してもよいし、異なる上り伝送機会に位置してもよい。
【００７８】
本願の実施例において、前記端末デバイスが第３のＨＡＲＱ情報を決定し、前記第３のＨＡＲＱ情報は、前記端末デバイスが第４の下り時間ユニットにおいて受信した第３の下りデータチャネルに対応するＨＡＲＱ情報であり、前記第３の下りデータチャネルが第４の時系列の値に対応し、前記第４の下り時間ユニットが前記第１の下り伝送機会における時間ユニットであり、前記第４の下り時間ユニットと前記基準時間ユニットとの時間距離が前記第１の値よりも小さく、
前記端末デバイスが第３の上り時間ユニットにおいて第２の上り制御情報を伝送し、前記第２の上り制御情報が前記第３のＨＡＲＱ情報を含み、前記第３の上り時間ユニットと前記第４の下り時間ユニットとの時間距離が前記第４の時系列の値以上である。
【００７９】
すなわち、フィードバック条件として前記第１の上り時間ユニットでフィードバックすることを満たさないＨＡＲＱ情報は、フィードバック条件を満たした後に、第３の上り時間ユニット(第１の上り時間ユニットの後の他の時間ユニットは、上りＨＡＲＱ情報のフィードバックの時間ユニットに使用される)でＨＡＲＱ情報がフィードバックされてもよい。
【００８０】
ある実施例において、前記第３の上り時間ユニットが前記第１の上り伝送機会における時間ユニットであり、又は、前記第３の上り時間ユニットが第３の上り伝送機会における時間ユニットである。即ち、前記第３の上り時間ユニットと前記第１の上り時間ユニットは、同じ上り伝送機会に位置してもよく、異なる上り伝送機会に位置してもよい。
【００８１】
図４を参照すると、時間ユニットの番号が＃０〜＃９の繰り返し番号であり、免許不要スペクトルにおいて１回の下り伝送にが７つの時間ユニットを含み、ここで、ＰＤＳＣＨが位置する時間ユニットが時間ユニット＃７、時間ユニット＃８、時間ユニット＃９、時間ユニット＃０、時間ユニット＃１、時間ユニット＃２、及び時間ユニット＃３の一部の時間ユニットを含み、なお、１番目のＰＵＣＣＨリソースが時間ユニット＃６に位置し、２番目のＰＵＣＣＨリソースが1番目のＰＵＣＣＨリソースの後に位置し、ここで、時間ユニット＃７におけるＰＤＳＣＨが対応する時系列の値ｋ=６、時間ユニット＃８におけるＰＤＳＣＨが対応する時系列の値ｋ=６、時間ユニット＃９におけるＰＤＳＣＨが対応する時系列の値ｋ=６、時間ユニット＃０におけるＰＤＳＣＨが対応する時系列の値ｋ=８、時間ユニット＃１におけるＰＤＳＣＨが対応する時系列の値ｋ=８、時間ユニット＃２におけるＰＤＳＣＨが対応する時系列の値ｋ=４、時間ユニット＃３におけるＰＤＳＣＨが対応する時系列の値ｋ=２であり、このように、１）前記第１の上り時間ユニットと前記第１の下り時間ユニットとの時間距離が前記第１の時系列の値以上であること、又は、２）前記第１の下り時間ユニットと前記基準時間ユニットとの時間距離が前記第１の値以上であることを満たさない時間ユニットは、時間ユニット＃０、時間ユニット＃１を含み、このように、時間ユニット＃６におけるＰＵＣＣＨ（１番目のＰＵＣＣＨ）は、時間ユニット＃０及び時間ユニット＃１におけるＰＤＳＣＨが対応するＨＡＲＱを伝送することができなく、２番目のＰＵＣＣＨリソースで時間ユニット＃０及び時間ユニット＃１におけるＰＤＳＣＨが対応するＨＡＲＱを伝送する必要があり、さらに、該２番目のＰＵＣＣＨが位置する時間ユニット（即ち、第３の上り時間ユニット）は、前記第３の上り時間ユニットと前記第４の下り時間ユニット（即ち、時間ユニット＃０と時間ユニット＃１）との時間距離が第４の時系列の値（即ち、時間ユニット＃０におけるＰＤＳＣＨが対応するｋ=８、時間ユニット＃１におけるＰＤＳＣＨが対応するｋ=８）以上であることを満たす必要がある。
【００８２】
本発明の実施例の技術的な解決策によれば、免許不要キャリア上で上り制御情報をフィードバックする場合、上り制御情報を伝送するＰＵＣＣＨが位置する時間ユニット上にＰＤＳＣＨ-ＨＡＲＱフィードバック時間を満たす１以上の時間ユニット上でＰＤＳＣＨに対応するＨＡＲＱ情報を柔軟にフィードバックすることにより、ネットワークデバイスに、通信リンク全体の遅延及び性能を保証しつつ、免許不要スペクトル上の上下リソースを柔軟に効率的に割り当てることができる。
【００８３】
図３は本発明の実施例におけるＨＡＲＱ情報の伝送方法のフローチャート二であり、本発明の実施例において、図３に示すように、前記ＨＡＲＱ情報の伝送方法は、以下のステップを含み、
ステップ３０１において、ネットワークデバイスが第１の上り時間ユニットにおいて端末デバイスにより送信された第１の上り制御情報を受信し、前記第１の上り制御情報が第１のハイブリッド自動再送要求ＨＡＲＱ情報を含み、ここで、前記第１のＨＡＲＱ情報は、前記端末デバイスが第１の下り時間ユニットにおいて受信した第１の下りデータチャネルに対応するＨＡＲＱ情報であり、前記第１の下りデータチャネルが第１の時系列の値に対応し、前記第１の上り時間ユニットと前記第１の下り時間ユニットとの時間距離が前記第１の時系列の値以上である。
【００８４】
任意選択で、前記第１の下り時間ユニットが第１の下り伝送機会における時間ユニットであり、前記第１の上り時間ユニットが第１の上り伝送機会における時間ユニットであり、前記第１の上り伝送機会が前記第１の下り伝送機会よりも遅い。
【００８５】
ステップ３０２において、前記ネットワークデバイスが前記第１の上り制御情報に基づいて前記第１のＨＡＲＱ情報を決定する。
【００８６】
ある実施例において、前記ネットワークデバイスが第２の下り時間ユニットにおいて第１の情報を送信し、前記第１の情報は、前記端末デバイスが第２の時系列の値を決定するために使用され、前記第２の時系列の値が前記第１の上り時間ユニットと基準時間ユニットとの時間距離であり、ここで、
前記基準時間ユニットと前記第２の下り時間ユニットとが同じ時間ユニットであり、又は、
前記基準時間ユニットが前記第１の下り伝送機会における最後の下り時間ユニットであり、又は、
前記基準時間ユニットが前記第１の上り伝送機会における１番目の上り時間ユニットである。
【００８７】
ある実施例において、前記第１の時系列の値と前記第２の時系列の値との差が第１の値であり、前記第１の下り時間ユニットと前記基準時間ユニットとの時間距離が前記第１の値以上である。
【００８８】
ある実施例において、前記ネットワークデバイスが第１の下り制御情報を送信し、前記第１の下り制御情報が前記第１の下りデータチャネルをスケジューリングするために使用され、前記第１の下り制御情報は、さらに、前記端末デバイスが前記第１の時系列の値を決定するために使用される。
【００８９】
ある実施例において、前記第１の上り制御情報が第２のＨＡＲＱ情報をさらに含み、ここで、前記第２のＨＡＲＱ情報は、前記端末デバイスが第３の下り時間ユニットにおいて受信した第２の下りデータチャネルに対応するＨＡＲＱ情報であり、前記第２の下りデータチャネルが第３の時系列の値に対応し、前記第３の下り時間ユニットが前記第１の下り伝送機会における時間ユニットであり、前記第１の上り時間ユニットと前記第３の下り時間ユニットとの時間距離が前記第３の時系列の値以上であり、
前記ネットワークデバイスが前記第１の上り制御情報に基づいて前記第２のＨＡＲＱ情報を決定する。
【００９０】
ある実施例において、前記ネットワークデバイスが第２の上り時間ユニットにおいて前記端末デバイスにより送信された前記第１の上り制御情報を受信し、前記第２の上り時間ユニットが前記第１の上り時間ユニットよりも遅い。
【００９１】
ある実施例において、前記第２の上り時間ユニットが前記第１の上り伝送機会における時間ユニットであり、又は、
前記第２の上り時間ユニットが第２の上り伝送機会における時間ユニットである。
【００９２】
ある実施例において、前記方法は、さらに、
前記ネットワークデバイスが第３の上り時間ユニットにおいて前記端末デバイスにより送信された第２の上り制御情報を受信し、前記第２の上り制御情報が第３のＨＡＲＱ情報を含み、ここで、前記第３のＨＡＲＱ情報は、前記端末デバイスが第４の下り時間ユニットにおいて受信した第３の下りデータチャネルに対応するＨＡＲＱ情報であり、前記第３の下りデータチャネルが第４の時系列の値に対応し、前記第４の下り時間ユニットが前記第１の下り伝送機会における時間ユニットであり、前記第４の下り時間ユニットと前記基準時間ユニットとの時間距離が前記第１の値よりも小さく、前記第３の上り時間ユニットと前記第４の下り時間ユニットとの時間距離が前記第４の時系列の値以上であり、
前記ネットワークデバイスが前記第２の上り制御情報に基づいて前記第３のＨＡＲＱ情報を決定することを含む。
【００９３】
ある実施例において、前記第３の上り時間ユニットが前記第１の上り伝送機会における時間ユニットであり、又は、
前記第３の上り時間ユニットが第３の上り伝送機会における時間ユニットである。
【００９４】
なお、本発明のネットワークデバイス側の実施形態は、端末デバイス側の実施形態を参照すれば理解でき、ネットワークデバイス側の情報フィードバック方法は、端末デバイスの情報フィードバック方法と対応するフロー及び効果を有する。
【００９５】
図５は本発明の実施例におけるＨＡＲＱ情報の伝送装置の構成図一であり、本発明の実施例において、図５に示すように、前記ＨＡＲＱ情報の伝送装置は、決定ユニット５０１及び第１の伝送ユニット５０２を含み、
決定ユニット５０１は、第１のハイブリッド自動再送要求ＨＡＲＱ情報を決定するように構成され、前記第１のＨＡＲＱ情報は、前記端末デバイスが第１の下り時間ユニットにおいて受信した第１の下りデータチャネルに対応するＨＡＲＱ情報であり、前記第１の下りデータチャネルが第１の時系列の値に対応し、
第１の伝送ユニット５０２は、第１の上り時間ユニットにおいて第１の上り制御情報を伝送するように構成され、前記第１の上り制御情報が前記第１のＨＡＲＱ情報を含み、ここで、前記第１の上り時間ユニットと前記第１の下り時間ユニットとの時間距離が前記第１の時系列の値以上である。
【００９６】
任意選択で、前記第１の下り時間ユニットが第１の下り伝送機会における時間ユニットであり、前記第１の上り時間ユニットが第１の上り伝送機会における時間ユニットであり、前記第１の上り伝送機会が前記第１の下り伝送機会よりも遅い。
【００９７】
ある実施例において、前記装置は、さらに、受信ユニット５０３を含み、
受信ユニット５０３は、第２の下り時間ユニットにおいて第１の情報を受信するように構成され、前記第１の情報が第２の時系列の値を決定するために使用され、前記第２の時系列の値が前記第１の上り時間ユニットと基準時間ユニットとの時間距離であり、ここで、
前記基準時間ユニットと前記第２の下り時間ユニットとが同じ時間ユニットであり、又は、
前記基準時間ユニットが前記第１の下り伝送機会における最後の下り時間ユニットであり、又は、
前記基準時間ユニットが前記第１の上り伝送機会における１番目の上り時間ユニットである。
【００９８】
ある実施例において、前記第１の時系列の値と前記第２の時系列の値との差が第１の値であり、前記第１の下り時間ユニットと前記基準時間ユニットとの時間距離が前記第１の値以上である。
【００９９】
ある実施例において、前記第１の時系列の値は、前記第１の下りデータチャネルにより伝送される第１の下り制御情報をスケジューリングすることにより得られる。
【０１００】
ある実施例において、前記第１の上り制御情報が第２のＨＡＲＱ情報をさらに含み、ここで、前記第２のＨＡＲＱ情報は、前記端末デバイスが第３の下り時間ユニットにおいて受信した第２の下りデータチャネルに対応するＨＡＲＱ情報であり、前記第２の下りデータチャネルが第３の時系列の値に対応し、前記第３の下り時間ユニットが前記第１の下り伝送機会における時間ユニットであり、前記第１の上り時間ユニットと前記第３の下り時間ユニットとの時間距離が前記第３の時系列の値以上である。
【０１０１】
ある実施例において、前記装置は、さらに、第２の伝送ユニット５０４を含み、
第２の伝送ユニット５０４は、第２の上り時間ユニットにおいて前記第１の上り制御情報を伝送するように構成され、前記第２の上り時間ユニットが前記第１の上り時間ユニットよりも遅い。
【０１０２】
ある実施例において、前記第２の上り時間ユニットが前記第１の上り伝送機会における時間ユニットであり、又は、
前記第２の上り時間ユニットが第２の上り伝送機会における時間ユニットである。
【０１０３】
ある実施例において、前記決定ユニット５０１は、さらに、第３のＨＡＲＱ情報を決定するように構成され、前記第３のＨＡＲＱ情報は、前記端末デバイスが第４の下り時間ユニットにおいて受信した第３の下りデータチャネルに対応するＨＡＲＱ情報であり、前記第３の下りデータチャネルが第４の時系列の値に対応し、前記第４の下り時間ユニットが前記第１の下り伝送機会における時間ユニットであり、前記第４の下り時間ユニットと前記基準時間ユニットとの時間距離が前記第１の値よりも小さく、
前記装置は、さらに、第３の伝送ユニット５０５を含み、第３の伝送ユニット５０５は、第３の上り時間ユニットにおいて第２の上り制御情報を伝送するように構成され、前記第２の上り制御情報が前記第３のＨＡＲＱ情報を含み、前記第３の上り時間ユニットと前記第４の下り時間ユニットとの時間距離が前記第４の時系列の値以上である。
【０１０４】
ある実施例において、前記第３の上り時間ユニットが前記第１の上り伝送機会における時間ユニットであり、又は、
前記第３の上り時間ユニットが第３の上り伝送機会における時間ユニットである。
【０１０５】
図５に示すＨＡＲＱ情報の伝送装置における各ユニットの実現機能は、上述したＨＡＲＱ情報の伝送方法に関する説明を参酌して理解され得る。図５に示すＨＡＲＱ情報の伝送装置における各ユニットの機能は、プロセッサ上で動作するプログラムによって実現されてもよいし、具体的な論理回路によって実現されてもよい。なお、図５に示す第１の伝送ユニット５０２、第２の伝送ユニット５０４、及び第３の伝送ユニット５０５は、同一の伝送部であってもよいし、異なる伝送部であってもよく、本発明は限定されない。
【０１０６】
図６は本発明の実施例におけるＨＡＲＱ情報の伝送装置の構成図二であり、本発明の実施例において、図６に示すように、前記ＨＡＲＱ情報の伝送装置は、第１の受信ユニット６０１及び決定ユニット６０２を含み、
第１の受信ユニット６０１は、第１の上り時間ユニットにおいて端末デバイスにより送信された第１の上り制御情報を受信するように構成され、前記第１の上り制御情報が第１のハイブリッド自動再送要求ＨＡＲＱ情報を含み、ここで、前記第１のＨＡＲＱ情報は、前記端末デバイスが第１の下り時間ユニットにおいて受信した第１の下りデータチャネルに対応するＨＡＲＱ情報であり、前記第１の下りデータチャネルが第１の時系列の値に対応し、前記第１の上り時間ユニットと前記第１の下り時間ユニットとの時間距離が前記第１の時系列の値以上であり、
決定ユニット６０２は、前記第１の上り制御情報に基づいて前記第１のＨＡＲＱ情報を決定するように構成される。
【０１０７】
任意選択で、前記第１の下り時間ユニットが第１の下り伝送機会における時間ユニットであり、前記第１の上り時間ユニットが第１の上り伝送機会における時間ユニットであり、前記第１の上り伝送機会が前記第１の下り伝送機会よりも遅い。
【０１０８】
ある実施例において、前記装置は、さらに、第１の送信ユニット６０３を含み、
第１の送信ユニット６０３は、第２の下り時間ユニットにおいて第１の情報を送信するように構成され、前記第１の情報は、前記端末デバイスが第２の時系列の値を決定するために使用され、前記第２の時系列の値が前記第１の上り時間ユニットと基準時間ユニットとの時間距離であり、ここで、
前記基準時間ユニットと前記第２の下り時間ユニットとが同じ時間ユニットであり、又は、
前記基準時間ユニットが前記第１の下り伝送機会における最後の下り時間ユニットであり、又は、
前記基準時間ユニットが前記第１の上り伝送機会における１番目の上り時間ユニットである。
【０１０９】
ある実施例において、前記第１の時系列の値と前記第２の時系列の値との差が第１の値であり、前記第１の下り時間ユニットと前記基準時間ユニットとの時間距離が前記第１の値以上である。
【０１１０】
ある実施例において、前記装置は、さらに、第２の送信ユニット６０４を含み、
第２の送信ユニット６０４は、第１の下り制御情報を送信するように構成され、前記第１の下り制御情報が前記第１の下りデータチャネルをスケジューリングするために使用され、前記第１の下り制御情報は、さらに、前記端末デバイスが前記第１の時系列の値を決定するために使用される。
【０１１１】
ある実施例において、前記第１の上り制御情報が第２のＨＡＲＱ情報をさらに含み、ここで、前記第２のＨＡＲＱ情報は、前記端末デバイスが第３の下り時間ユニットにおいて受信した第２の下りデータチャネルに対応するＨＡＲＱ情報であり、前記第２の下りデータチャネルが第３の時系列の値に対応し、前記第３の下り時間ユニットが前記第１の下り伝送機会における時間ユニットであり、前記第１の上り時間ユニットと前記第３の下り時間ユニットとの時間距離が前記第３の時系列の値以上であり、
前記決定ユニット６０２は、前記第１の上り制御情報に基づいて前記第２のＨＡＲＱ情報を決定するように構成される。
【０１１２】
ある実施例において、前記装置は、さらに、第２の受信ユニット６０５を含み、
第２の受信ユニット６０５は、第２の上り時間ユニットにおいて前記端末デバイスにより送信された前記第１の上り制御情報を受信するように構成され、前記第２の上り時間ユニットが前記第１の上り時間ユニットよりも遅い。
【０１１３】
ある実施例において、前記第２の上り時間ユニットが前記第１の上り伝送機会における時間ユニットであり、又は、
前記第２の上り時間ユニットが第２の上り伝送機会における時間ユニットである。
【０１１４】
ある実施例において、前記装置は、さらに、第３の受信ユニット６０６を含み、
第３の受信ユニット６０６は、第３の上り時間ユニットにおいて前記端末デバイスにより送信された第２の上り制御情報を受信するように構成され、前記第２の上り制御情報が第３のＨＡＲＱ情報を含み、ここで、前記第３のＨＡＲＱ情報は、前記端末デバイスが第４の下り時間ユニットにおいて受信した第３の下りデータチャネルに対応するＨＡＲＱ情報であり、前記第３の下りデータチャネルが第４の時系列の値に対応し、前記第４の下り時間ユニットが前記第１の下り伝送機会における時間ユニットであり、前記第４の下り時間ユニットと前記基準時間ユニットとの時間距離が前記第１の値よりも小さく、前記第３の上り時間ユニットと前記第４の下り時間ユニットとの時間距離が前記第４の時系列の値以上であり、
前記決定ユニット６０２は、さらに、前記第２の上り制御情報に基づいて前記第３のＨＡＲＱ情報を決定するように構成される。
【０１１５】
ある実施例において、前記第３の上り時間ユニットが前記第１の上り伝送機会における時間ユニットであり、又は、
前記第３の上り時間ユニットが第３の上り伝送機会における時間ユニットである。
【０１１６】
なお、図６に示すＨＡＲＱ情報の伝送装置における各ユニットの実現機能は、上述したＨＡＲＱ情報の伝送方法に関する説明を参照し得る。図６に示すＨＡＲＱ情報の伝送装置における各ユニットの機能は、プロセッサ上で動作するプログラムによって実現されてもよいし、具体的な論理回路によって実現されてもよい。なお、図６に示す第１の受信ユニット６０１、第２の受信ユニット６０５、第３の受信ユニット６０６は、同一の受信ユニットであってもよいし、異なる受信ユニットであってもよく、図６に示す第１の送信ユニット６０３と第２の送信ユニット６０４は、同一の送信ユニットであってもよいし、異なる送信ユニットであってもよく、本発明はこれに限定されない。
【０１１７】
また、上述した本発明の実施形態に係るＨＡＲＱ情報の伝送装置は、ソフトウェア機能モジュールとして実現され、独立した製品として販売又は使用される場合には、コンピュータ読み取り可能な記憶媒体に記憶されていてもよい。このような理解に基づいて、本発明の実施形態の技術的解決策の本質または従来技術に寄与する部分は、本発明の様々な実施形態による方法の全てまたは一部を１つのコンピュータデバイス(パーソナルコンピュータ、サーバ、またはネットワークデバイスなどであり得る)に実行させるための複数の命令を含む１つの記憶媒体に記憶されたソフトウェア製品の形態で具現化され得る。また、前記記憶媒体としては、U字ディスク、リムーバブルハードディスク、リードオンリーメモリ( ＲＯＭ、Ｒｅａｄ Ｏｎｌｙ Ｍｅｍｏｒｙ )、磁気ディスク、光ディスク等のプログラムコードを記憶できる種々の媒体を用いることができる。このように、本発明の実施形態は、ハードウェアとソフトウェアのいかなる組み合わせにも限定されない。
【０１１８】
したがって、本発明の実施例は、プロセッサによって実行されたときに、本発明の実施例による上記ＨＡＲＱ情報の伝送方法を実現するコンピュータ実行可能命令を記憶したコンピュータ記憶媒体をさらに提供する。
【０１１９】
図７は、本発明の実施例に係るコンピュータデバイスの構成を示す図であり、このコンピュータデバイスは、端末デバイスであってもネットワークデバイスであってもよい。図７に示すように、コンピュータデバイス１００は、１つ又は複数の(図面には１つのみが示される)プロセッサ１００２ (プロセッサ１００２は、マイクロプロセッサ( ＭＣＵ、Ｍｉｃｒｏ Ｃｏｎｔｒｏｌｌｅｒ Ｕｎｉｔ )又はプログラマブルロジックデバイス( ＦＰＧＡ、Ｆｉｅｌｄ Ｐｒｏｇｒａｍｍａｂｌｅ Ｇａｔｅ Ａｒｒａｙ )などの処理装置を含み得るが、これらに限定されない)、データを記憶するためのメモリ１００４、及び通信機能のための伝送装置１００６を含むことができる。図７に示す構成は、例示であり、上述した電子装置の構成に限定されないことは、当業者に理解されるところである。例えば、コンピュータ装置１００は、図７に示されるよりも多いか少ない構成要素をさらに含んでもよく、又は図７に示されるものとは異なる構成を有してもよい。
【０１２０】
メモリ１００４は、本発明の実施形態における方法に対応するプログラム命令/モジュールのような、アプリケーションのソフトウェアプログラム及びモジュールを格納するために使用されてもよく、プロセッサ１００２は、メモリ１００４に格納されたソフトウェアプログラム及びモジュールを実行することによって、様々な機能アプリケーション及びデータ処理を実行し、すなわち、上記の方法を実現する。メモリ１００４は、高速ランダムアクセスメモリを含んでもよく、１つ以上の磁気記憶デバイス、フラッシュメモリ、または他の不揮発性ソリッドステートメモリなどの不揮発性メモリを含んでもよい。いくつかの例では、メモリ１００４は、プロセッサ１００２に対してリモートに配置されたメモリをさらに含んでもよく、メモリは、ネットワークを介してコンピュータデバイス１００に接続されてもよい。上記ネットワークの例としては、インターネット、イントラネット、ローカルエリアネットワーク、移動体通信ネットワーク、及びこれらの組み合わせが挙げられるが、これらに限定されない。
【０１２１】
伝送装置１００６は、ネットワークを介してデータを送受信するための装置である。上記のネットワークの具体例は、コンピュータデバイス１００の通信プロバイダが提供する無線ネットワークを含んでもよい。一例において、伝送装置１００６は、インターネットと通信可能に基地局を介して他のネットワークデバイスに接続可能なネットワークアダプタ( ＮＩＣ、Ｎｅｔｗｏｒｋ Ｉｎｔｅｒｆａｃｅ Ｃｏｎｔｒｏｌｌｅｒ )を含む。一例では、伝送装置１００６は、無線方式でインターネットと通信するための無線周波数( ＲＦ、Ｒａｄｉｏ Ｆｒｅｑｕｅｎｃｙ )モジュールであり得る。
【０１２２】
本発明の実施例に記載した技術的手段は、矛盾なき限り、任意に組み合わせることができる。
【０１２３】
本発明によって提供されるいくつかの実施形態において、開示される方法およびスマートデバイスは、他の方法で実現されてもよいことが理解されるべきである。なお、以上の装置の実施形態はあくまでも一例であり、例えば、装置の分割、論理的機能の分割などは、実際の実施に際しては、これら複数の装置や構成要素を組み合わせたり、他のシステムに統合したり、あるいは、一部の構成要素を省略したり、省略したりすることが可能である。さらに、図示又は説明された構成要素は、電気的、機械的、又は他の形態の、いくつかのインターフェース、装置又はユニットを介した、互いに、又は直接的に、又は通信的に、間接的な結合又は通信的な接続を有し得る。
【０１２４】
上記分離手段として説明したユニットは、物理的に分離していても、あるいは分離していなくてもよく、ユニットとして表示されるユニットは、物理的ユニットであっても、あるいは物理的ユニットでなくてもよく、すなわち一箇所にあっても、複数のネットワークユニットに分散していてもよくまた、本実施形態の目的を達成する手段の一部又は全部を、必要に応じて選択することができる。
【０１２５】
また、本発明の各実施例における各機能部は、全てが１つの第２の処理部に集積されてもよいし、各部がそれぞれ単独で１つのユニットとして構成されてもよいし、２つ以上のユニットが１つのユニットに集積されてもよい；上記の統合されたユニットは、ハードウェアの形態で実現されてもよいし、ハードウェア及びソフトウェア機能ユニットの形態で実現されてもよい。
【０１２６】
以上、本発明の具体的な実施形態について説明したが、本発明の技術的範囲はこれに限定されるものではなく、本発明が属する技術分野で通常の知識を有する者であれば、本発明の技術的範囲内で容易に変更や置換をなし得ることは自明である。
【手続補正２】
【補正対象書類名】特許請求の範囲
【補正対象項目名】全文
【補正方法】変更
【補正の内容】
【特許請求の範囲】
【請求項１】
端末デバイスが第１のハイブリッド自動再送要求ＨＡＲＱ情報を決定し、前記第１のＨＡＲＱ情報は、前記端末デバイスが第１の下り時間ユニットにおいて受信した第１の下りデータチャネルに対応するＨＡＲＱ情報であり、前記第１の下りデータチャネルが第１の時系列の値に対応し、前記第１の下り時間ユニットが第１の下り伝送機会における時間ユニットであり、
前記端末デバイスが第１の上り時間ユニットにおいて第１の上り制御情報を伝送し、前記第１の上り制御情報が前記第１のＨＡＲＱ情報を含み、前記第１の上り時間ユニットが第１の上り伝送機会における時間ユニットであり、前記第１の上り伝送機会が前記第１の下り伝送機会よりも遅く、前記第１の上り時間ユニットと前記第１の下り時間ユニットとの時間距離が前記第１の時系列の値以上であることとを含む
ことを特徴とするハイブリッド自動再送要求ＨＡＲＱ情報の伝送方法。
【請求項２】
前記端末デバイスが第２の下り時間ユニットにおいて第１の情報を受信することを含み、前記第１の情報が第２の時系列の値を決定するために使用され、前記第２の時系列の値が前記第１の上り時間ユニットと基準時間ユニットとの時間距離であり、
前記基準時間ユニットと前記第２の下り時間ユニットとが同じ時間ユニットであり、又は、
前記基準時間ユニットが前記第１の下り伝送機会における最後の下り時間ユニットであり、又は、
前記基準時間ユニットが前記第１の上り伝送機会における１番目の上り時間ユニットである
ことを特徴とする請求項１に記載のハイブリッド自動再送要求ＨＡＲＱ情報の伝送方法。
【請求項３】
前記第１の時系列の値と前記第２の時系列の値との差が第１の値であり、前記第１の下り時間ユニットと前記基準時間ユニットとの時間距離が前記第１の値以上である
ことを特徴とする請求項２に記載のＨＡＲＱ情報の伝送方法。
【請求項４】
前記第１の時系列の値は、前記第１の下りデータチャネルにより伝送される第１の下り制御情報をスケジューリングすることにより得られる
ことを特徴とする請求項１〜３のいずれか１項に記載のＨＡＲＱ情報の伝送方法。
【請求項５】
前記第１の上り制御情報が第２のＨＡＲＱ情報をさらに含み、
前記第２のＨＡＲＱ情報は、前記端末デバイスが第３の下り時間ユニットにおいて受信した第２の下りデータチャネルに対応するＨＡＲＱ情報であり、前記第２の下りデータチャネルが第３の時系列の値に対応し、前記第３の下り時間ユニットが前記第１の下り伝送機会における時間ユニットであり、前記第１の上り時間ユニットと前記第３の下り時間ユニットとの時間距離が前記第３の時系列の値以上である
ことを特徴とする請求項１〜４のいずれか１項に記載のＨＡＲＱ情報の伝送方法。
【請求項６】
前記方法は、さらに、
前記端末デバイスが第２の上り時間ユニットにおいて前記第１の上り制御情報を伝送することを含み、前記第２の上り時間ユニットが前記第１の上り時間ユニットよりも遅い
ことを特徴とする請求項１〜５のいずれか１項に記載のＨＡＲＱ情報の伝送方法。
【請求項７】
前記第２の上り時間ユニットが前記第１の上り伝送機会における時間ユニットであり、又は、
前記第２の上り時間ユニットが第２の上り伝送機会における時間ユニットである
ことを特徴とする請求項６に記載のＨＡＲＱ情報の伝送方法。
【請求項８】
決定ユニットと、第１の伝送ユニットと、を備えるハイブリッド自動再送要求ＨＡＲＱ情報の伝送装置であって、
前記決定ユニットは、第１のハイブリッド自動再送要求ＨＡＲＱ情報を決定するように構成され、前記第１のＨＡＲＱ情報は、第１の下り時間ユニットで受信した第１の下りデータチャネルに対応するＨＡＲＱ情報であり、前記第１の下りデータチャネルが第１の時系列の値に対応し、前記第１の下り時間ユニットが第１の下り伝送機会における時間ユニットであり、
前記第１の伝送ユニットは、は、第１の上り時間ユニットにおいて第１の上り制御情報を伝送するように構成され、前記第１の上り制御情報が前記第１のＨＡＲＱ情報を含み、
前記第１の上り時間ユニットが第１の上り伝送機会における時間ユニットであり、前記第１の上り伝送機会が前記第１の下り伝送機会よりも遅く、前記第１の上り時間ユニットと前記第１の下り時間ユニットとの時間距離が前記第１の時系列の値以上である
ことを特徴とするＨＡＲＱ情報の伝送装置。
【請求項９】
前記装置は、さらに、受信ユニットを含み、
前記受信ユニットは、第２の下り時間ユニットにおいて第１の情報を受信するように構成され、前記第１の情報が第２の時系列の値を決定するために使用され、前記第２の時系列の値が前記第１の上り時間ユニットと基準時間ユニットとの時間距離であり、
前記基準時間ユニットと前記第２の下り時間ユニットとが同じ時間ユニットであり、又は、
前記基準時間ユニットが前記第１の下り伝送機会における最後の下り時間ユニットであり、又は、
前記基準時間ユニットが前記第１の上り伝送機会における１番目の上り時間ユニットである
ことを特徴とする請求項８に記載のＨＡＲＱ情報の伝送装置。
【請求項１０】
前記第１の時系列の値と前記第２の時系列の値との差が第１の値であり、前記第１の下り時間ユニットと前記基準時間ユニットとの時間距離が前記第１の値以上である
ことを特徴とする請求項９に記載のＨＡＲＱ情報の伝送装置。
【請求項１１】
前記第１の時系列の値は、前記第１の下りデータチャネルにより伝送される第１の下り制御情報をスケジューリングすることにより得られる
ことを特徴とする請求項８〜１０のいずれか１項に記載のＨＡＲＱ情報の伝送装置。
【請求項１２】
前記第１の上り制御情報が第２のＨＡＲＱ情報をさらに含み、
前記第２のＨＡＲＱ情報は、前記端末デバイスが第３の下り時間ユニットにおいて受信した第２の下りデータチャネルに対応するＨＡＲＱ情報であり、前記第２の下りデータチャネルが第３の時系列の値に対応し、前記第３の下り時間ユニットが前記第１の下り伝送機会における時間ユニットであり、前記第１の上り時間ユニットと前記第３の下り時間ユニットとの時間距離が前記第３の時系列の値以上である
ことを特徴とする請求項８〜１０のいずれか１項に記載のＨＡＲＱ情報の伝送装置。
【請求項１３】
前記決定ユニットは、さらに、第３のＨＡＲＱ情報を決定するように構成され、前記第３のＨＡＲＱ情報は、前記端末デバイスが第４の下り時間ユニットにおいて受信した第３の下りデータチャネルに対応するＨＡＲＱ情報であり、前記第３の下りデータチャネルが第４の時系列の値に対応し、前記第４の下り時間ユニットが前記第１の下り伝送機会における時間ユニットであり、前記第４の下り時間ユニットと前記基準時間ユニットとの時間距離が前記第１の値よりも小さく、
前記装置は、さらに、第３の伝送ユニットを含み、前記第３の伝送ユニットは、第３の上り時間ユニットにおいて第２の上り制御情報を伝送するように構成され、前記第２の上り制御情報が前記第３のＨＡＲＱ情報を含み、前記第３の上り時間ユニットと前記第４の下り時間ユニットとの時間距離が前記第４の時系列の値以上である
ことを特徴とする請求項１０〜１２のいずれか１項に記載のＨＡＲＱ情報の伝送装置。
【請求項１４】
前記第３の上り時間ユニットが前記第１の上り伝送機会における時間ユニットであり、又は、
前記第３の上り時間ユニットが第３の上り伝送機会における時間ユニットである
ことを特徴とする請求項１３に記載のＨＡＲＱ情報の伝送装置。
【請求項１５】
プロセッサによって実行されると、請求項１から７のいずれか１項に記載の方法ステップを実現するコンピュータ実行可能命令を記憶した
ことを特徴とするコンピュータ記憶媒体。
【手続補正３】
【補正対象書類名】図面
【補正対象項目名】全図
【補正方法】変更
【補正の内容】
【図１】
2021516896.tif 000012
【図２】
2021516896.tif 000013
【図３】
2021516896.tif 000014
【図４】
2021516896.tif 000015
【図５】
2021516896.tif 000016
【図６】
2021516896.tif 000017
【図７】
2021516896.tif 000018
【国際調査報告】
2021516896.tif 000019
2021516896.tif 000020
2021516896.tif 000021
2021516896.tif 000022